【手続補正書】
【提出日】令和3年1月7日(2021.1.7)
【手続補正１】
【補正対象書類名】特許請求の範囲
【補正対象項目名】全文
【補正方法】変更
【補正の内容】
【特許請求の範囲】
【請求項１】
ネットワーク切り替えの目的を指示する方法であって、
端末機器に適用される無線アクセス技術ＲＡＴによる第１の無線アクセスネットワークから第２の無線アクセスネットワークへの切り替えの過程には、第１の機器はフォールバック識別子を取得し、前記フォールバック識別子は前記端末機器に適用されるＲＡＴによる前記第１の無線アクセスネットワークから前記第２の無線アクセスネットワークへの切り替えの目的を指示し、前記第１の無線アクセスネットワークと前記第２の無線アクセスネットワークは異なる通信プロトコルバージョンのネットワークであるステップを含むことを特徴とするネットワーク切り替えの目的を指示する方法。
【請求項２】
前記フォールバック識別子は前記端末機器に適用されるＲＡＴによる前記第１の無線アクセスネットワークから前記第２の無線アクセスネットワークへの切り替えの目的が、前記端末機器のために、前記第２の無線アクセスネットワークでの音声サービスを構築することにあたることを指示することを特徴とする請求項１に記載の方法。
【請求項３】
端末機器に適用されるＲＡＴによる第１の無線アクセスネットワークから第２の無線アクセスネットワークへの切り替えの過程には、第１の機器はフォールバック識別子を取得するステップは、
第１の切り替えモードでは、前記端末機器に適用されるＲＡＴによる前記第１の無線アクセスネットワークから前記第２の無線アクセスネットワークへの切り替えの過程には、前記第１の機器は前記フォールバック識別子を取得し、そのうち、前記第１の切り替えモードでは、前記第１の無線アクセスネットワークに対するコアネットワークは変化せず、さらに、コアネットワークの内部ネットワーク要素も変化せず、前記第１の無線アクセスネットワークにサービスを提供するコアネットワークは前記第２の無線アクセスネットワークにもサービスを提供するステップを含むことを特徴とする請求項１又は請求項２に記載の方法。
【請求項４】
前記第１の無線アクセスネットワークはニューラジオＮＲネットワークであり、前記第２の無線アクセスネットワークはロングタームエボリューションＬＴＥネットワークであり、前記第１の切り替えモードでは、前記ＮＲネットワークに対するコアネットワーク５ＧＣは変化せず、さらに、５ＧＣでのアクセスとモビリティ管理機能ＡＭＦも変化せず、前記ＮＲネットワークにサービスを提供する５ＧＣは前記ＬＴＥネットワークにもサービスを提供することを特徴とする請求項３に記載の方法。
【請求項５】
前記第１の機器はＡＭＦ機器であり、
前記第１の機器はフォールバック識別子を取得するステップは、
前記ＡＭＦ機器はアクセスネットワーク機器から前記フォールバック識別子を受信するステップを含むことを特徴とする請求項４に記載の方法。
【請求項６】
前記ＡＭＦ機器は前記アクセスネットワーク機器から前記フォールバック識別子を受信した後、前記方法はさらに、
前記ＡＭＦ機器はセッション管理機能ＳＭＦに前記フォールバック識別子を送信するステップを含むことを特徴とする請求項５に記載の方法。
【請求項７】
端末機器に適用されるＲＡＴによる第１の無線アクセスネットワークから第２の無線アクセスネットワークへの切り替えの過程には、第１の機器はフォールバック識別子を取得するステップは、
第３の切り替えモードでは、前記端末機器に適用されるＲＡＴによる前記第１の無線アクセスネットワークから前記第２の無線アクセスネットワークへの切り替えの過程には、前記第１の機器は前記フォールバック識別子を取得し、そのうち、前記第３の切り替えモードでは、前記第１の無線アクセスネットワークに対するコアネットワークから前記第２の無線アクセスネットワークに対するコアネットワークへの切り替えが発生するステップを含むことを特徴とする請求項１又は請求項２に記載の方法。
【請求項８】
前記第１の無線アクセスネットワークはＮＲネットワークであり、前記第２の無線アクセスネットワークはＬＴＥネットワークであり、前記第３の切り替えモードでは、前記ＮＲネットワークに対する５ＧＣから前記ＬＴＥネットワークに対するパケットコアエボリューションＥＰＣへの切り替えが発生することを特徴とする請求項７に記載の方法。
【請求項９】
前記第１の機器はセッション管理機能＋コアネットワーク側のデータゲートウェイＳＭＦ＋ＰＧＷ−Ｃ機器であり、
前記第１の機器は前記フォールバック識別子を取得するステップは、
前記ＳＭＦ＋ＰＧＷ−Ｃ機器はアクセスネットワーク機器から前記フォールバック識別子を受信するステップを含むことを特徴とする請求項８に記載の方法。
【請求項１０】
前記ＳＭＦ＋ＰＧＷ−Ｃ機器はアクセスネットワーク機器から前記フォールバック識別子を受信するステップは、
前記ＳＭＦ＋ＰＧＷ−Ｃ機器はＡＭＦ機器が前記アクセスネットワーク機器から転送された前記フォールバック識別子を受信するステップを含むことを特徴とする請求項９に記載の方法。
【請求項１１】
ネットワーク機器であって、
端末機器に適用される無線アクセス技術ＲＡＴによる第１の無線アクセスネットワークから第２の無線アクセスネットワークへの切り替えの過程には、フォールバック識別子を取得するための処理ユニットを含み、前記フォールバック識別子は前記端末機器に適用されるＲＡＴによる前記第１の無線アクセスネットワークから前記第２の無線アクセスネットワークへの切り替えの目的を指示し、前記第１の無線アクセスネットワークと前記第２の無線アクセスネットワークは異なる通信プロトコルバージョンのネットワークであることを特徴とするネットワーク機器。
【請求項１２】
前記フォールバック識別子は前記端末機器に適用されるＲＡＴによる前記第１の無線アクセスネットワークから前記第２の無線アクセスネットワークへの切り替えの目的が、前記端末機器のために、前記第２の無線アクセスネットワークでの音声サービスを構築することにあたることを指示することを特徴とする請求項１１に記載のネットワーク機器。
【請求項１３】
前記処理ユニットは、
第１の切り替えモードでは、前記端末機器に適用されるＲＡＴによる前記第１の無線アクセスネットワークから前記第２の無線アクセスネットワークへの切り替えの過程には、前記フォールバック識別子を取得するためのものであり、そのうち、前記第１の切り替えモードでは、前記第１の無線アクセスネットワークに対するコアネットワークは変化せず、さらに、コアネットワークの内部ネットワーク要素も変化せず、前記第１の無線アクセスネットワークにサービスを提供するコアネットワークは前記第２の無線アクセスネットワークにもサービスを提供することを特徴とする請求項１１又は請求項１２に記載のネットワーク機器。
【請求項１４】
前記処理ユニットは、
第３の切り替えモードでは、前記端末機器に適用されるＲＡＴによる前記第１の無線アクセスネットワークから前記第２の無線アクセスネットワークへの切り替えの過程には、前記フォールバック識別子を取得するためのものであり、そのうち、前記第３の切り替えモードでは、前記第１の無線アクセスネットワークに対するコアネットワークから前記第２の無線アクセスネットワークに対するコアネットワークへの切り替えが発生することを特徴とする請求項１１又は請求項１２に記載のネットワーク機器。
【請求項１５】
通信機器であって、前記通信機器はプロセッサ、メモリ及び通信インタフェースを含み、前記プロセッサが、前記メモリと前記通信インタフェースに接続され、前記メモリが命令を記憶するためのものであり、前記通信インタフェースが、前記プロセッサの制御の下で、他のネットワーク要素と通信するためのものであり、前記メモリに記憶された命令を実行する時、前記プロセッサに請求項１〜１０のいずれか一項に記載の方法を実行させる通信機器。
【手続補正２】
【補正対象書類名】明細書
【補正対象項目名】全文
【補正方法】変更
【補正の内容】
【発明の詳細な説明】
【発明の名称】ネットワーク切り替え後の復帰方法、アクセスネットワーク機器及びコアネットワーク機器
【技術分野】
【０００１】
「関連出願の相互参照」
本願は、２０１７年１０月１１日に中国特許局に提出した、出願番号がＰＣＴ／ＣＮ２０１７／１０５７６８であり、出願名称が「ネットワーク切り替え後の復帰方法、アクセスネットワーク機器及びコアネットワーク機器」であるＰＣＴ特許出願の優先権を主張し、及び２０１７年１０月１７日に中国特許局に提出した、出願番号がＰＣＴ／ＣＮ２０１７／１０６５９８であり、出願名称が「ネットワーク切り替え後の復帰方法、アクセスネットワーク機器及びコアネットワーク機器」であるＰＣＴ特許出願の優先権を主張し、その開示内容の全ては援用により本願に組み合わせられる。
本願は、通信の分野に関し、具体的にネットワーク切り替え後の復帰方法、アクセスネットワーク機器及びコアネットワーク機器に関する。
【背景技術】
【０００２】
５Ｇニューラジオ（Ｎｅｗ  Ｒａｄｉｏ、ＮＲ）ネットワーク展開の初期段階では、特定のシーンに（例えば、ネットワークの混雑、音声サービスを必要とするなど）５Ｇ  ＮＲネットワークから４Ｇロングタームエボリューション（Ｌｏｎｇ  Ｔｅｒｍ  Ｅｖｏｌｕｔｉｏｎ、ＬＴＥ（登録商標））ネットワークへフォールバックする場合がある。しかしながら、現在の段階では、５Ｇ  ＮＲネットワークから４Ｇ  ＬＴＥネットワークへのフォールバックの後、音声サービスに対するフォールバックであるかどうかを正確に判定できないと同時に、如何なる方法で５Ｇ  ＮＲネットワークに復帰するかについても説明していない。このため、５Ｇ  ＮＲネットワークから４Ｇ  ＬＴＥネットワークへのフォールバックが発生した後、音声サービスに対するフォールバックであるかどうかを正確に判定できないことや、迅速に５Ｇ  ＮＲネットワークに復帰できないことにより、ユーザエクスペリエンスに支障が出る。
【発明の概要】
【発明が解決しようとする課題】
【０００３】
本願の実施例は、音声フォールバックを決定する方法、ネットワーク切り替え後の復帰方法、ネットワーク切り替えの目的を指示する方法、音声サービスを判定する方法と機器、アクセスネットワーク機器とコアネットワーク機器を提供し、端末機器に適用される無線アクセス技術（Ｒａｄｉｏ  Ａｃｃｅｓｓ  Ｔｅｃｈｎｏｌｏｇｙ、ＲＡＴ）によって、５Ｇ  ＮＲネットワークから４Ｇ  ＬＴＥネットワークへフォールバックした後、５Ｇ  ＮＲネットワークに迅速に復帰することができ、これにより、ユーザが最大限に５Ｇ  ＮＲネットワークを利用するように保証することができ、さらに、ユーザエクスペリエンスを向上させる。
【課題を解決するための手段】
【０００４】
第１の態様では、本願の実施例は、音声フォールバックを決定する方法を提供し、
端末機器に適用される無線アクセス技術ＲＡＴによる第１の無線アクセスネットワークから第２の無線アクセスネットワークへの切り替えの過程には、第１の機器は、当該端末機器がアクセスしようとする当該第２の無線アクセスネットワーク下のターゲットアクセスネットワーク機器識別子を取得し、当該第１の無線アクセスネットワークと当該第２の無線アクセスネットワークは異なる通信プロトコルバージョンのネットワークであり、当該第１の無線アクセスネットワークのカバレッジエリアと当該第２の無線アクセスネットワークのカバレッジエリアの間に重複エリアがあるステップと、
第１のセットに当該ターゲットアクセスネットワーク機器識別子がある場合、当該第１の機器は、当該端末機器に適用されるＲＡＴによる当該第１の無線アクセスネットワークから当該第２の無線アクセスネットワークへの切り替えの目的が音声サービスの実行にあたると決定し、当該第１のセットに当該重複エリア内にある当該第２の無線アクセスネットワークの下の全てのアクセスネットワーク機器識別子が含まれるステップと、を含む。
【０００５】
一実施形態において、第１の無線アクセスネットワークが第２の無線アクセスネットワークより優れたネットワークであり、ユーザは第１の無線アクセスネットワークでよりよいエクスペリエンスを取得することができる。
【０００６】
従って、本願の実施例に係る音声フォールバックを決定する方法において、端末機器に適用されるＲＡＴによる第１の無線アクセスネットワークから第２の無線アクセスネットワークへの切り替えの過程には、第１の機器は、第１のセットに端末機器がアクセスしようとする第２の無線アクセスネットワークの下のターゲットアクセスネットワーク機器識別子がある場合、端末機器に適用されるＲＡＴによる第１の無線アクセスネットワークから第２の無線アクセスネットワークへの切り替えの目的が音声サービスの実行にあたると決定し、これにより、端末機器でネットワークの切り替えが行われる時、それが、音声サービスに対する切り替えであるかどうかを正確に判定することができ、さらに、切り替えの後、音声サービスを迅速に実行させ、音声サービスの判定によるシグナリングのオーバーヘッドを減少させることができる。
【０００７】
第１の態様の１つの実施形態において、当該方法は、
当該第１の機器は、当該第２の無線アクセスネットワークへと一斉に切り替える必要のある音声サービス進行中のストリーム／ベアラがあると決定するステップをさらに含み、
第１のセットに当該ターゲットアクセスネットワーク機器識別子がある場合、当該第１の機器は、当該端末機器に適用されるＲＡＴによる当該第１の無線アクセスネットワークから当該第２の無線アクセスネットワークへの切り替えの目的が音声サービスの実行にあたると決定するステップは、
当該第１のセットに当該ターゲットアクセスネットワーク機器識別子があり、さらに、当該第１の機器は、第２の無線アクセスネットワークへと一斉に切り替える必要のある音声サービス進行中のストリーム／ベアラがあると決定する場合、当該第１の機器は、当該端末機器に適用されるＲＡＴによる当該第１の無線アクセスネットワークから当該第２の無線アクセスネットワークへの切り替えの目的が音声サービスの実行にあたると決定するステップ、を含む。
【０００８】
従って、本願の実施例に係る音声フォールバックを決定する方法において、さらに、第１のセットにターゲットアクセスネットワーク機器識別子があり、さらに、第１の機器は、第２の無線アクセスネットワークへと一斉に切り替える必要のある音声サービス進行中のストリーム／ベアラがあると決定する場合、第１の機器は、端末機器に適用されるＲＡＴによる第１の無線アクセスネットワークから第２の無線アクセスネットワークへの切り替えの目的が音声サービスの実行にあたると決定する。
【０００９】
第１の態様の１つの実施形態において、当該第１のセットはプリセットされたものである。
【００１０】
第１の態様の１つの実施形態において、当該第１の無線アクセスネットワークはニューラジオＮＲネットワークであり、当該第２の無線アクセスネットワークはロングタームエボリューションＬＴＥネットワークであり、当該第１の機器はアクセスとモビリティ管理機能ＡＭＦ機器である。
【００１１】
第１の態様の１つの実施形態において、当該方法は、
当該ＡＭＦ機器は第２の機器に指示情報を送信し、当該指示情報は、音声識別子及び／又は切り替えの前の公共陸上モバイル通信ネットワークＰＬＭＮ識別子を含み、当該指示情報は当該端末機器に適用されるＲＡＴによる当該ＮＲネットワークから当該ＬＴＥネットワークへの切り替えの目的が音声サービスの実行にあたることを当該第２の機器に指示するためのものであるステップをさらに含む。
【００１２】
第１の態様の１つの実施形態において、第１の切り替えモードでは、当該端末機器に適用されるＲＡＴによる当該ＮＲネットワークから当該ＬＴＥネットワークへの切り替えが発生し、そのうち、当該第１の切り替えモードでは、当該ＮＲネットワークに対するコアネットワーク５ＧＣは変化せず、当該ＮＲネットワークにサービスを提供する５ＧＣは当該ＬＴＥネットワークにもサービスを提供する。
【００１３】
当該ＡＭＦ機器は第２の機器に指示情報を送信するステップは、
当該ＡＭＦ機器はセッション管理機能ＳＭＦ機器に当該指示情報を送信するステップを含む。
【００１４】
第１の態様の１つの実施形態において、第２の切り替えモードでは、当該端末機器に適用されるＲＡＴによる当該ＮＲネットワークから当該ＬＴＥネットワークへの切り替えが発生し、そのうち、当該第２の切り替えモードでは、当該ＮＲネットワークに対する５ＧＣは変化しないとともに、５ＧＣでのＡＭＦのソースＡＭＦからターゲットＡＭＦへの切り替えが発生し、当該ＮＲネットワークにサービスを提供する５ＧＣは当該ＬＴＥネットワークにもサービスを提供する。
【００１５】
当該ＡＭＦ機器は第２の機器に指示情報を送信するステップは、
当該ソースＡＭＦ機器はターゲットＡＭＦ機器に当該指示情報を送信するステップを含む。
【００１６】
第１の態様の１つの実施形態において、第３の切り替えモードでは、当該端末機器に適用されるＲＡＴによる当該ＮＲネットワークから当該ＬＴＥネットワークへの切り替えが発生し、そのうち、当該第３の切り替えモードでは、当該ＮＲネットワークに対する５ＧＣから当該ＬＴＥネットワークに対するパケットコアエボリューションＥＰＣへの切り替えが発生する。
【００１７】
当該ＡＭＦ機器は第２の機器に指示情報を送信するステップは、
当該ＡＭＦ機器はモビリティ管理エンティティＭＭＥ機器に当該指示情報を送信するステップを含む。
【００１８】
第２の態様では、本願の実施例は、ネットワーク切り替え後の復帰方法を提供し、
端末機器に適用される無線アクセス技術ＲＡＴによる第１の無線アクセスネットワークから第２の無線アクセスネットワークへの切り替えの後、第１の機器は、アクセスネットワーク機器に現在のベアラ／ストリームを削除する指示情報を送信し、当該指示情報は切り替えの前の公共陸上モバイル通信ネットワークＰＬＭＮ識別子及び／又は切り替えの前のアクセスネットワーク機器識別子を含み、当該第１の無線アクセスネットワークと当該第２の無線アクセスネットワークは異なる通信プロトコルバージョンのネットワークであり、当該第１の無線アクセスネットワークのカバレッジエリアと当該第２の無線アクセスネットワークのカバレッジエリアの間に重複エリアがあるステップを含む。
【００１９】
一実施形態において、第１の無線アクセスネットワークが第２の無線アクセスネットワークより優れたネットワークであり、ユーザは第１の無線アクセスネットワークでよりよいエクスペリエンスを取得することができる。
【００２０】
従って、本願の実施例に係るネットワーク切り替え後の復帰方法において、端末機器に適用されるＲＡＴによる第１の無線アクセスネットワークから第２の無線アクセスネットワークへの切り替えの後、第１の機器は、アクセスネットワーク機器に現在のベアラ／ストリームを削除する指示情報を送信し、指示情報に切り替えの前のＰＬＭＮ識別子及び／又は切り替えの前のアクセスネットワーク機器識別子が含まれており、これにより、アクセスネットワーク機器は、切り替えの前のＰＬＭＮ識別子及び／又は切り替えの前のアクセスネットワーク機器識別子に基づき、端末機器に適用されるＲＡＴによる第２の無線アクセスネットワークから第１の無線アクセスネットワークへの復帰をトリガーするように決定することができ、さらに、端末機器で第１の無線アクセスネットワークを最大限に体験することができ、ユーザエクスペリエンスを向上させる。
【００２１】
第２の態様の１つの実施形態において、当該現在のベアラ／ストリームは音声サービスの実行用のベアラ／ストリームである。
【００２２】
第２の態様の１つの実施形態において、当該第１の無線アクセスネットワークはニューラジオＮＲネットワークであり、当該第２の無線アクセスネットワークはロングタームエボリューションＬＴＥネットワークであり、当該第１の機器はアクセスとモビリティ管理機能ＡＭＦ機器又はモビリティ管理エンティティＭＭＥ機器であり、当該アクセスネットワーク機器は当該ＮＲネットワークに対する基地局ｇＮＢである。
【００２３】
第２の態様の１つの実施形態において、当該方法は、
当該第１の機器は、当該切り替えの前のＰＬＭＮ識別子及び／又は切り替えの前のアクセスネットワーク機器識別子を取得するステップをさらに含む。
【００２４】
第２の態様の１つの実施形態において、当該第１の機器はＡＭＦ機器であり、第１の切り替えモードでは、当該端末機器に適用されるＲＡＴによる当該ＮＲネットワークから当該ＬＴＥネットワークへの切り替えが発生した場合、そのうち、当該第１の切り替えモードでは、当該ＮＲネットワークに対するコアネットワーク５ＧＣは変化せず、当該ＮＲネットワークにサービスを提供する５ＧＣは当該ＬＴＥネットワークにもサービスを提供する。
【００２５】
当該第１の機器は、当該切り替えの前のＰＬＭＮ識別子及び／又は切り替えの前のアクセスネットワーク機器識別子を取得するステップは、
当該ＡＭＦ機器は切り替えの前のアクセスネットワーク機器から当該切り替えの前のＰＬＭＮ識別子及び／又は切り替えの前のアクセスネットワーク機器識別子を取得するステップを含む。
【００２６】
第２の態様の１つの実施形態において、当該第１の機器はＡＭＦ機器であり、第２の切り替えモードでは、当該端末機器に適用されるＲＡＴによる当該ＮＲネットワークから当該ＬＴＥネットワークへの切り替えが発生した場合、そのうち、当該第２の切り替えモードでは、当該ＮＲネットワークに対する５ＧＣは変化しないとともに、５ＧＣでのＡＭＦのソースＡＭＦからターゲットＡＭＦへの切り替えが発生し、当該ＮＲネットワークにサービスを提供する５ＧＣは当該ＬＴＥネットワークにもサービスを提供する。
【００２７】
当該第１の機器は、当該切り替えの前のＰＬＭＮ識別子及び／又は切り替えの前のアクセスネットワーク機器識別子を取得するステップは、
当該ターゲットＡＭＦ機器は当該ソースＡＭＦ機器から当該切り替えの前のＰＬＭＮ識別子及び／又は切り替えの前のアクセスネットワーク機器識別子を取得するステップを含む。
【００２８】
第２の態様の１つの実施形態において、当該第１の機器はＭＭＥ機器であり、第３の切り替えモードでは、当該端末機器に適用されるＲＡＴによる当該ＮＲネットワークから当該ＬＴＥネットワークへの切り替えが発生した場合、そのうち、当該第３の切り替えモードでは、当該ＮＲネットワークに対する５ＧＣから当該ＬＴＥネットワークに対するパケットコアエボリューションＥＰＣへの切り替えが発生する。
【００２９】
当該第１の機器は、当該切り替えの前のＰＬＭＮ識別子及び／又は切り替えの前のアクセスネットワーク機器識別子を取得するステップは、
当該ＭＭＥ機器はＡＭＦ機器から当該切り替えの前のＰＬＭＮ識別子及び／又は切り替えの前のアクセスネットワーク機器識別子を取得するステップを含む。
【００３０】
第３の態様では、本願の実施例は、ネットワーク切り替え後の復帰方法を提供し、
端末機器に適用される無線アクセス技術ＲＡＴによる第１の無線アクセスネットワークから第２の無線アクセスネットワークへの切り替えの後、アクセスネットワーク機器は、第１の機器から送信された現在のベアラ／ストリームを削除する指示情報を受信し、当該指示情報は切り替えの前の公共陸上モバイル通信ネットワークＰＬＭＮ識別子及び／又は切り替えの前のアクセスネットワーク機器識別子を含み、当該第１の無線アクセスネットワークと当該第２の無線アクセスネットワークは異なる通信プロトコルバージョンのネットワークであり、当該第１の無線アクセスネットワークのカバレッジエリアと当該第２の無線アクセスネットワークのカバレッジエリアの間に重複エリアがあるステップと、
当該指示情報に基づいて当該現在のベアラを削除した後、当該アクセスネットワーク機器は、当該切り替えの前のＰＬＭＮ識別子及び／又は当該切り替えの前のアクセスネットワーク機器識別子に基づき、当該端末機器に適用されるＲＡＴによる当該第２の無線アクセスネットワークから当該第１の無線アクセスネットワークへの復帰をトリガーするように決定するステップと、を含む。
【００３１】
従って、本願の実施例に係るネットワーク切り替え後の復帰方法において、端末機器に適用されるＲＡＴによる第１の無線アクセスネットワークから第２の無線アクセスネットワークへの切り替えの後、第１の機器は、アクセスネットワーク機器に現在のベアラ／ストリームを削除する指示情報を送信し、指示情報に切り替えの前のＰＬＭＮ識別子及び／又は切り替えの前のアクセスネットワーク機器識別子が含まれており、これにより、アクセスネットワーク機器は切り替えの前のＰＬＭＮ識別子及び／又は切り替えの前のアクセスネットワーク機器識別子に基づいて端末機器に適用されるＲＡＴによる第２の無線アクセスネットワークから第１の無線アクセスネットワークへの復帰をトリガーするように決定することができ、さらに、端末機器で第１の無線アクセスネットワークを最大限に体験することができ、ユーザエクスペリエンスを向上させる。
【００３２】
第３の態様の１つの実施形態において、当該現在のベアラ／ストリームは音声サービスの実行用のベアラ／ストリームである。
【００３３】
第３の態様の１つの実施形態において、当該第１の無線アクセスネットワークはニューラジオＮＲネットワークであり、当該第２の無線アクセスネットワークはロングタームエボリューションＬＴＥネットワークであり、当該アクセスネットワーク機器は当該ＮＲネットワークに対する基地局ｇＮＢであり、当該第１の機器はアクセスとモビリティ管理機能ＡＭＦ機器又はモビリティ管理エンティティＭＭＥ機器である。
【００３４】
第４の態様では、本願の実施例は、ネットワーク切り替え後の復帰方法を提供し、
端末機器に適用される無線アクセス技術ＲＡＴによる第１の無線アクセスネットワークから第２の無線アクセスネットワークへの切り替えの後、第１の機器は、アクセスネットワーク機器に切り替え指示を送信し、当該切り替え指示は、当該アクセスネットワーク機器が当該端末機器に適用されるＲＡＴによる当該第２の無線アクセスネットワークから当該第１の無線アクセスネットワークへの復帰をトリガーすることを指示するためのものであり、当該第１の無線アクセスネットワークと当該第２の無線アクセスネットワークは異なる通信プロトコルバージョンのネットワークであるステップを含む。
【００３５】
一実施形態において、第１の無線アクセスネットワークが第２の無線アクセスネットワークより優れたネットワークであり、ユーザは第１の無線アクセスネットワークでよりよいエクスペリエンスを取得することができる。
【００３６】
従って、本願の実施例に係るネットワーク切り替え後の復帰方法において、端末機器に適用されるＲＡＴによる第１の無線アクセスネットワークから第２の無線アクセスネットワークへの切り替えの後、第１の機器はアクセスネットワーク機器に切り替え指示を送信することにより、アクセスネットワーク機器は第２の無線アクセスネットワークから第１の無線アクセスネットワークへと復帰することができ、これにより、端末機器で第１の無線アクセスネットワークを最大限に利用するように保証することができ、さらに、ユーザエクスペリエンスを向上させる。
【００３７】
第４の態様の１つの実施形態において、当該端末機器で音声サービスの実行が必要とされる場合、当該端末機器に適用されるＲＡＴによる当該第１の無線アクセスネットワークから当該第２の無線アクセスネットワークへの切り替えが発生する。
【００３８】
第４の態様の１つの実施形態において、当該端末機器に適用されるＲＡＴによる当該第１の無線アクセスネットワークから当該第２の無線アクセスネットワークのへの切り替えの後、及び、当該第１の機器が当該アクセスネットワーク機器に当該切り替え指示を送信する前、当該方法は、
当該第１の機器は、当該アクセスネットワーク機器が当該端末機器に対する第１のベアラ／ストリームを構築するようにトリガーし、当該第１のベアラ／ストリームが当該第２の無線アクセスネットワークでの音声サービスを実行するためのものであるステップをさらに含む。
【００３９】
第４の態様の１つの実施形態において、当該第１の無線アクセスネットワークはニューラジオＮＲネットワークであり、当該第２の無線アクセスネットワークはロングタームエボリューションＬＴＥネットワークであり、当該第１の機器はアクセスとモビリティ管理機能ＡＭＦ機器又はセッション管理機能ＳＭＦ機器又はセッション管理機能＋コアネットワーク側のデータゲートウェイＳＭＦ＋ＰＧＷ−Ｃ機器であり、当該アクセスネットワーク機器は進化型汎用陸上ベースの無線アクセスネットワークＥ−ＵＴＲＡＮ機器である。
【００４０】
当該第１の機器はアクセスネットワーク機器に切り替え指示を送信するステップは、
当該ＡＭＦ機器又は当該ＳＭＦ機器又は当該ＳＭＦ＋ＰＧＷ−Ｃ機器は当該Ｅ−ＵＴＲＡＮ機器に当該切り替え指示を送信するステップを含む。
【００４１】
第５の態様では、本願の実施例は、ネットワーク切り替え後の復帰方法を提供し、
端末機器に適用される無線アクセス技術ＲＡＴによる第１の無線アクセスネットワークから第２の無線アクセスネットワークへの切り替えの後、アクセスネットワーク機器は、第１の機器から送信された切り替え指示を受信し、当該切り替え指示は、当該アクセスネットワーク機器が当該端末機器に適用されるＲＡＴによる当該第２の無線アクセスネットワークから当該第１の無線アクセスネットワークへの復帰をトリガーすることを指示するためのものであり、当該第１の無線アクセスネットワークと当該第２の無線アクセスネットワークは異なる通信プロトコルバージョンのネットワークであるステップと、
当該アクセスネットワーク機器は、当該切り替え指示に基づき、当該端末機器に適用されるＲＡＴによる当該第２の無線アクセスネットワークから当該第１の無線アクセスネットワークへの復帰をトリガーするステップと、を含む。
【００４２】
一実施形態において、第１の無線アクセスネットワークが第２の無線アクセスネットワークより優れたネットワークであり、ユーザは第１の無線アクセスネットワークでよりよいエクスペリエンスを取得することができる。
【００４３】
従って、本願の実施例に係るネットワーク切り替え後の復帰方法において、端末機器に適用されるＲＡＴによる第１の無線アクセスネットワークから第２の無線アクセスネットワークへの切り替えの後、第１の機器はアクセスネットワーク機器に切り替え指示を送信することにより、アクセスネットワーク機器は第２の無線アクセスネットワークから第１の無線アクセスネットワークへと復帰することができ、これにより、端末機器で第１の無線アクセスネットワークを最大限に利用するように保証することができ、さらに、ユーザエクスペリエンスを向上させる。
【００４４】
第５の態様の１つの実施形態において、当該端末機器で音声サービスの実行が必要とされる場合、当該端末機器に適用されるＲＡＴによる当該第１の無線アクセスネットワークから当該第２の無線アクセスネットワークへの切り替えが発生する。
【００４５】
第５の態様の１つの実施形態において、当該第１の無線アクセスネットワークはニューラジオＮＲネットワークであり、当該第２の無線アクセスネットワークはロングタームエボリューションＬＴＥネットワークであり、当該第１の機器はアクセスとモビリティ管理機能ＡＭＦ機器又はセッション管理機能ＳＭＦ機器であり、当該アクセスネットワーク機器は進化型汎用陸上ベースの無線アクセスネットワークＥ−ＵＴＲＡＮ機器である。
【００４６】
当該アクセスネットワーク機器は第１の機器から送信された切り替え指示を受信するステップは、
当該Ｅ−ＵＴＲＡＮ機器は当該ＡＭＦ機器又は当該ＳＭＦ機器から送信された当該切り替え指示を受信するステップを含む。
【００４７】
第５の態様の１つの実施形態において、当該アクセスネットワーク機器は当該切り替え指示に基づき、当該端末機器に適用されるＲＡＴによる当該第２の無線アクセスネットワークから当該第１の無線アクセスネットワークへの復帰をトリガーするステップは、
当該アクセスネットワーク機器は当該切り替え指示に基づき、第１の切り替えモードでは、当該端末機器に適用されるＲＡＴによる当該第２の無線アクセスネットワークから当該第１の無線アクセスネットワークへの復帰をトリガーするステップを含み、
そのうち、当該第１の切り替えモードでは、当該ＮＲネットワークに対するコアネットワーク５ＧＣは変化しない。
【００４８】
第５の態様の１つの実施形態において、当該第１の無線アクセスネットワークはＮＲネットワークであり、当該第２の無線アクセスネットワークはＬＴＥネットワークであり、当該第１の機器はセッション管理機能＋コアネットワーク側のデータゲートウェイＳＭＦ＋ＰＧＷ−Ｃ機器であり、当該アクセスネットワーク機器はＥ−ＵＴＲＡＮ機器である。
【００４９】
当該アクセスネットワーク機器は第１の機器から送信された切り替え指示を受信するステップは、
当該Ｅ−ＵＴＲＡＮ機器は当該ＳＭＦ＋ＰＧＷ−Ｃ機器から送信された当該切り替え指示を受信するステップを含む。
【００５０】
第５の態様の１つの実施形態において、当該アクセスネットワーク機器は当該切り替え指示に基づき、当該端末機器に適用されるＲＡＴによる当該第２の無線アクセスネットワークから当該第１の無線アクセスネットワークへの復帰をトリガーするステップは、
当該アクセスネットワーク機器は当該切り替え指示に基づき、第２の切り替えモードでは、当該端末機器に適用されるＲＡＴによる当該第２の無線アクセスネットワークから当該第１の無線アクセスネットワークへの復帰をトリガーするステップを含み、
そのうち、当該第２の切り替えモードでは、当該ＬＴＥネットワークに対するパケットコアエボリューションＥＰＣから当該ＮＲネットワークに対する５ＧＣへの切り替え復帰が発生する。
【００５１】
第６の態様では、本願の実施例は、ネットワーク切り替え後の復帰方法を提供し、
端末機器に適用される無線アクセス技術ＲＡＴによる第１の無線アクセスネットワークから第２の無線アクセスネットワークへの切り替え、及び、当該端末機器による当該第２の無線アクセスネットワークでの音声サービスが完了された後、第１の機器は、アクセスネットワーク機器に音声サービスベアラを削除する指示情報を送信し、当該指示情報は、当該アクセスネットワーク機器の現在のベアラが音声サービスに用いられることを指示し、当該第１の無線アクセスネットワークと当該第２の無線アクセスネットワークは異なる通信プロトコルバージョンのネットワークであるステップを含む。
【００５２】
従って、本願の実施例に係るネットワーク切り替え後の復帰方法において、端末機器に適用されるＲＡＴによる第１の無線アクセスネットワークから第２の無線アクセスネットワークへの切り替え、及び、端末機器による第２の無線アクセスネットワークでの音声サービスが完了された後、第１の機器は、アクセスネットワーク機器に音声サービスベアラを削除する指示情報を送信することにより、アクセスネットワーク機器が、指示情報に基づいて現在のベアラを削除した後、端末機器に適用されるＲＡＴによる第２の無線アクセスネットワークから第１の無線アクセスネットワークへの復帰をトリガーするように決定し、これにより、端末機器で第１の無線アクセスネットワークを最大限に利用するように保証することができ、さらに、ユーザエクスペリエンスを向上させる。
【００５３】
第６の態様の１つの実施形態において、当該第１の無線アクセスネットワークはニューラジオＮＲネットワークであり、当該第２の無線アクセスネットワークはロングタームエボリューションＬＴＥネットワークであり、当該第１の機器はアクセスとモビリティ管理機能ＡＭＦ機器又はセッション管理機能ＳＭＦ機器又はセッション管理機能＋コアネットワーク側のデータゲートウェイＳＭＦ＋ＰＧＷ−Ｃ機器であり、当該アクセスネットワーク機器は進化型汎用陸上ベースの無線アクセスネットワークＥ−ＵＴＲＡＮ機器である。
【００５４】
当該第１の機器はアクセスネットワーク機器に指示情報を送信するステップは、
当該ＡＭＦ機器又は当該ＳＭＦ機器又は当該ＳＭＦ＋ＰＧＷ−Ｃ機器は当該Ｅ−ＵＴＲＡＮ機器に当該指示情報を送信するステップを含む。
【００５５】
第７の態様では、本願の実施例は、ネットワーク切り替え後の復帰方法を提供し、
端末機器に適用される無線アクセス技術ＲＡＴによる第１の無線アクセスネットワークから第２の無線アクセスネットワークへの切り替え、及び、当該端末機器による当該第２の無線アクセスネットワークでの音声サービスが完了された後、アクセスネットワーク機器は第１の機器から送信された音声サービスベアラを削除する指示情報を受信し、当該指示情報は、当該アクセスネットワーク機器の現在のベアラが音声サービスに用いられることを指示し、当該第１の無線アクセスネットワークと当該第２の無線アクセスネットワークは異なる通信プロトコルバージョンのネットワークであるステップと、
当該指示情報に基づいて当該現在のベアラを削除した後、当該アクセスネットワーク機器は当該端末機器に適用されるＲＡＴによる当該第２の無線アクセスネットワークから当該第１の無線アクセスネットワークへの復帰をトリガーするステップと、を含む。
【００５６】
従って、本願の実施例に係るネットワーク切り替え後の復帰方法において、端末機器に適用されるＲＡＴによる第１の無線アクセスネットワークから第２の無線アクセスネットワークへの切り替え、及び、端末機器による第２の無線アクセスネットワークでの音声サービスが完了された後、第１の機器は、アクセスネットワーク機器に音声サービスベアラを削除する指示情報を送信することにより、アクセスネットワーク機器が指示情報に基づいて現在のベアラを削除した後、端末機器に適用されるＲＡＴによる第２の無線アクセスネットワークから第１の無線アクセスネットワークへの復帰をトリガーするように決定し、これにより、端末機器で第１の無線アクセスネットワークを最大限に利用するように保証することができ、さらに、ユーザエクスペリエンスを向上させる。
【００５７】
第７の態様の１つの実施形態において、当該第１の無線アクセスネットワークはニューラジオＮＲネットワークであり、当該第２の無線アクセスネットワークはロングタームエボリューションＬＴＥネットワークであり、当該第１の機器はアクセスとモビリティ管理機能ＡＭＦ機器又はセッション管理機能ＳＭＦ機器又はセッション管理機能＋コアネットワーク側のデータゲートウェイＳＭＦ＋ＰＧＷ−Ｃ機器であり、当該アクセスネットワーク機器は進化型汎用陸上ベースの無線アクセスネットワークＥ−ＵＴＲＡＮ機器である。
【００５８】
当該アクセスネットワーク機器は第１の機器から送信された音声サービスベアラを削除する指示情報を受信するステップは、
当該Ｅ−ＵＴＲＡＮ機器は当該ＡＭＦ機器又は当該ＳＭＦ機器又は当該ＳＭＦ＋ＰＧＷ−Ｃ機器から送信された当該指示情報を受信するステップを含む。
【００５９】
第７の態様の１つの実施形態において、当該アクセスネットワーク機器は現在、当該ＮＲネットワークのコアネットワーク５ＧＣに接続する場合、当該アクセスネットワーク機器は当該端末機器に適用されるＲＡＴによる当該第２の無線アクセスネットワークから当該第１の無線アクセスネットワークへの復帰をトリガーするステップは、
第１の切り替えモードでは、当該アクセスネットワーク機器は当該端末機器に適用されるＲＡＴによる当該第２の無線アクセスネットワークから当該第１の無線アクセスネットワークへの復帰をトリガーするステップを含み、
そのうち、当該第１の切り替えモードでは、当該ＮＲネットワークに対するコアネットワーク５ＧＣは変化しない。
【００６０】
第７の態様の１つの実施形態において、当該アクセスネットワーク機器は現在、当該ＬＴＥネットワークのパケットコアエボリューションＥＰＣに接続する場合、当該アクセスネットワーク機器は当該端末機器に適用されるＲＡＴによる当該第２の無線アクセスネットワークから当該第１の無線アクセスネットワークへの復帰をトリガーするステップは、
第２の切り替えモードでは、当該アクセスネットワーク機器は当該端末機器に適用されるＲＡＴによる当該第２の無線アクセスネットワークから当該第１の無線アクセスネットワークへの切り替え復帰をトリガーするステップを含み、
そのうち、当該第２の切り替えモードでは、当該ＬＴＥネットワークに対するＥＰＣから当該ＮＲネットワークに対する５ＧＣへの切り替え復帰が発生する。
【００６１】
第８の態様では、本願の実施例は、ネットワーク切り替えの目的を指示する方法を提供し、
端末機器に適用される無線アクセス技術ＲＡＴによる第１の無線アクセスネットワークから第２の無線アクセスネットワークへの切り替えの過程には、第１の機器はフォールバック識別子を取得し、当該フォールバック識別子が、当該端末機器に適用されるＲＡＴによる当該第１の無線アクセスネットワークから当該第２の無線アクセスネットワークへの切り替えの目的を指示し、当該第１の無線アクセスネットワークと当該第２の無線アクセスネットワークは異なる通信プロトコルバージョンのネットワークであるステップを含む。
【００６２】
従って、本願の実施例に係るネットワーク切り替えの目的を指示する方法において、端末機器に適用されるＲＡＴによる第１の無線アクセスネットワークから第２の無線アクセスネットワークへの切り替えの過程には、第１の機器はネットワーク切り替え目的を指示するフォールバック識別子を取得し、これにより、ネットワークフォールバックの目的を決定し、さらに、正確に応答することができる。
【００６３】
第８の態様の１つの実施形態において、当該第１の機器は当該フォールバック識別子に基づいて端末機器に適用されるＲＡＴによる当該第２の無線アクセスネットワークから当該第１の無線アクセスネットワークへの復帰をトリガーする。
【００６４】
一実施形態において、第１の無線アクセスネットワークが第２の無線アクセスネットワークより優れたネットワークであり、ユーザは第１の無線アクセスネットワークでよりよいエクスペリエンスを取得することができる。
【００６５】
従って、本願の実施例に係るネットワーク切り替えの目的を指示する方法において、第１の機器は端末機器に適用されるＲＡＴによる第１の無線アクセスネットワークから第２の無線アクセスネットワークへの切り替えの過程に取得したフォールバック識別子に基づき、第２の無線アクセスネットワークから第１の無線アクセスネットワークへの復帰をトリガーし、これにより、端末機器で第１の無線アクセスネットワークを最大限に利用するように保証することができ、さらに、ユーザエクスペリエンスを向上させる。
【００６６】
第８の態様の１つの実施形態において、当該フォールバック識別子は、当該端末機器に適用されるＲＡＴによる当該第１の無線アクセスネットワークから当該第２の無線アクセスネットワークへの切り替えの目的が、当該端末機器のために、当該第２の無線アクセスネットワークでの音声サービスを構築することにあたることを指示する。
【００６７】
第８の態様の１つの実施形態において、当該端末機器に適用されるＲＡＴによる第１の無線アクセスネットワークから第２の無線アクセスネットワークへの切り替えの過程には、第１の機器はフォールバック識別子を取得するステップは、
第１の切り替えモードでは、当該端末機器に適用されるＲＡＴによる当該第１の無線アクセスネットワークから当該第２の無線アクセスネットワークへの切り替えの過程には、当該第１の機器は当該フォールバック識別子を取得し、そのうち、当該第１の切り替えモードでは、当該第１の無線アクセスネットワークに対するコアネットワークは変化せず、さらに、コアネットワークの内部ネットワーク要素も変化せず、当該第１の無線アクセスネットワークにサービスを提供するコアネットワークは当該第２の無線アクセスネットワークにもサービスを提供するステップを含む。
【００６８】
第８の態様の１つの実施形態において、当該第１の無線アクセスネットワークはニューラジオＮＲネットワークであり、当該第２の無線アクセスネットワークはロングタームエボリューションＬＴＥネットワークであり、当該第１の切り替えモードでは、当該ＮＲネットワークに対するコアネットワーク５ＧＣは変化しないとともに、５ＧＣでのアクセスとモビリティ管理機能ＡＭＦも変化せず、当該ＮＲネットワークにサービスを提供する５ＧＣは当該ＬＴＥネットワークにもサービスを提供する。
【００６９】
第８の態様の１つの実施形態において、当該第１の機器はＡＭＦ機器であり、
当該第１の機器はフォールバック識別子を取得するステップは、
当該ＡＭＦ機器はアクセスネットワーク機器から当該フォールバック識別子を受信するステップを含む。
【００７０】
第８の態様の１つの実施形態において、当該ＡＭＦ機器は当該アクセスネットワーク機器から当該フォールバック識別子を受信した後、当該方法は、
当該ＡＭＦ機器はセッション管理機能ＳＭＦに当該フォールバック識別子を送信するステップをさらに含む。
【００７１】
第８の態様の１つの実施形態において、当該第１の機器はターゲットアクセスネットワーク機器であり、
当該第１の機器はフォールバック識別子を取得するステップは、
当該ターゲットアクセスネットワーク機器はソースアクセスネットワーク機器から当該フォールバック識別子を受信するステップを含む。
【００７２】
第８の態様の１つの実施形態において、当該端末機器に適用されるＲＡＴによる第１の無線アクセスネットワークから第２の無線アクセスネットワークへの切り替えの過程には、第１の機器はフォールバック識別子を取得するステップは、
第２の切り替えモードでは、当該端末機器に適用されるＲＡＴによる当該第１の無線アクセスネットワークから当該第２の無線アクセスネットワークへの切り替えの過程には、当該第１の機器は当該フォールバック識別子を取得し、そのうち、当該第２の切り替えモードでは、当該第１の無線アクセスネットワークに対するコアネットワークは変化せず、さらに、コアネットワークの内部ネットワーク要素が変化し、当該第１の無線アクセスネットワークにサービスを提供するコアネットワークは当該第２の無線アクセスネットワークにもサービスを提供するステップを含む。
【００７３】
第８の態様の１つの実施形態において、当該第１の無線アクセスネットワークはＮＲネットワークであり、当該第２の無線アクセスネットワークはＬＴＥネットワークであり、当該第２の切り替えモードでは、当該ＮＲネットワークに対する５ＧＣは変化しないとともに、５ＧＣでのＡＭＦのソースＡＭＦからターゲットＡＭＦへの切り替えが発生し、当該ＮＲネットワークにサービスを提供する５ＧＣは当該ＬＴＥネットワークにもサービスを提供する。
【００７４】
第８の態様の１つの実施形態において、当該第１の機器はＳＭＦ機器であり、
当該第１の機器は当該フォールバック識別子を取得するステップは、
当該ＳＭＦ機器はアクセスネットワーク機器から当該フォールバック識別子を受信するステップを含む。
【００７５】
第８の態様の１つの実施形態において、当該ＳＭＦ機器はアクセスネットワーク機器から当該フォールバック識別子を受信するステップは、
当該ＳＭＦ機器は、当該ターゲットＡＭＦ機器が当該ソースＡＭＦ機器から転送された当該フォールバック識別子を受信し、当該ソースＡＭＦ機器が当該アクセスネットワーク機器から当該フォールバック識別子を取得するステップを含む。
【００７６】
第８の態様の１つの実施形態において、当該端末機器に適用されるＲＡＴによる第１の無線アクセスネットワークから第２の無線アクセスネットワークへの切り替えの過程には、第１の機器はフォールバック識別子を取得するステップは、
第３の切り替えモードでは、当該端末機器に適用されるＲＡＴによる当該第１の無線アクセスネットワークから当該第２の無線アクセスネットワークへの切り替えの過程には、当該第１の機器は当該フォールバック識別子を取得し、そのうち、当該第３の切り替えモードでは、当該第１の無線アクセスネットワークに対するコアネットワークから当該第２の無線アクセスネットワークに対するコアネットワークへの切り替えが発生するステップを含む。
【００７７】
第８の態様の１つの実施形態において、当該第１の無線アクセスネットワークはＮＲネットワークであり、当該第２の無線アクセスネットワークはＬＴＥネットワークであり、当該第３の切り替えモードでは、当該ＮＲネットワークに対する５ＧＣから当該ＬＴＥネットワークに対するパケットコアエボリューションＥＰＣへの切り替えが発生する。
【００７８】
第８の態様の１つの実施形態において、当該第１の機器はセッション管理機能＋コアネットワーク側のデータゲートウェイＳＭＦ＋ＰＧＷ−Ｃ機器であり、
当該第１の機器は当該フォールバック識別子を取得するステップは、
当該ＳＭＦ＋ＰＧＷ−Ｃ機器はアクセスネットワーク機器から当該フォールバック識別子を受信するステップを含む。
【００７９】
第８の態様の１つの実施形態において、当該ＳＭＦ＋ＰＧＷ−Ｃ機器はアクセスネットワーク機器から当該フォールバック識別子を受信するステップは、
当該ＳＭＦ＋ＰＧＷ−Ｃ機器は、ＡＭＦ機器が当該アクセスネットワーク機器から転送された当該フォールバック識別子を受信するステップを含む。
【００８０】
第９の態様では、本願の実施例は、音声サービスの判定方法を提供し、
第１の情報を取得し、当該第１の情報は、端末機器に対する第１のベアラ／ストリームの構築が成功しなかったことを指示するためのものであり、当該第１のベアラ／ストリームが第１の無線アクセスネットワークでの音声サービスを実行させるためのものであるステップと、
当該端末機器に適用される無線アクセス技術ＲＡＴによる当該第１の無線アクセスネットワークから第２の無線アクセスネットワークへの切り替えの後、当該端末機器に対する第２のベアラ／ストリームを構築し、当該第１の無線アクセスネットワークと当該第２の無線アクセスネットワークは異なる通信プロトコルバージョンのネットワークであるステップと、
当該第２のベアラ／ストリームは当該第２の無線アクセスネットワークでの音声サービスを実行させるためのものであることを決定するステップと、を含むことを特徴とする。
【００８１】
従って、本願の実施例に係る音声サービスの判定方法において、端末機器に対する第１のベアラ／ストリームの構築が成功しなかったことを指示するための第１の情報の受信、及び、端末機器に適用されるＲＡＴによる第１の無線アクセスネットワークから第２の無線アクセスネットワークへの切り替えの後、構築された第２のベアラ／ストリームが第２の無線アクセスネットワークでの音声サービスを実行させるためのものであると決定し、これにより、構築されたベアラ／ストリームが音声サービスを実行させるベアラ／ストリームであるかどうかを正確に判定することができる。
【００８２】
第９の態様の１つの実施形態において、当該方法は、
当該第２のベアラ／ストリームを解放した後、当該端末機器に適用されるＲＡＴによる当該第２の無線アクセスネットワークから当該第１の無線アクセスネットワークへの復帰をトリガーするステップをさらに含む。
【００８３】
第９の態様の１つの実施形態において、当該端末機器に適用されるＲＡＴによる当該第１の無線アクセスネットワークから当該第２の無線アクセスネットワークへの切り替えの目的は、当該第２のベアラ／ストリームを構築することにあたる。
【００８４】
第９の態様の１つの実施形態において、第１の切り替えモードでは、当該端末機器に適用されるＲＡＴによる当該第１の無線アクセスネットワークから当該第２の無線アクセスネットワークへの切り替えが発生し、そのうち、当該第１の切り替えモードでは、当該第１の無線アクセスネットワークに対するコアネットワークは変化せず、さらに、コアネットワークの内部ネットワーク要素も変化せず、当該第１の無線アクセスネットワークにサービスを提供するコアネットワークは当該第２の無線アクセスネットワークにもサービスを提供する。
【００８５】
第９の態様の１つの実施形態において、当該第１の無線アクセスネットワークはニューラジオＮＲネットワークであり、当該第２の無線アクセスネットワークはロングタームエボリューションＬＴＥネットワークであり、当該第１の切り替えモードでは、当該ＮＲネットワークに対するコアネットワーク５ＧＣは変化しないとともに、５ＧＣでのアクセスとモビリティ管理機能ＡＭＦも変化せず、当該ＮＲネットワークにサービスを提供する５ＧＣは当該ＬＴＥネットワークにもサービスを提供する。
【００８６】
第９の態様の１つの実施形態において、第２の切り替えモードでは、当該端末機器に適用されるＲＡＴによる当該第１の無線アクセスネットワークから当該第２の無線アクセスネットワークへの切り替えが発生し、そのうち、当該第２の切り替えモードでは、当該第１の無線アクセスネットワークに対するコアネットワークは変化せず、さらに、コアネットワークの内部ネットワーク要素が変化し、当該第１の無線アクセスネットワークにサービスを提供するコアネットワークは当該第２の無線アクセスネットワークにもサービスを提供する。
【００８７】
第９の態様の１つの実施形態において、当該第１の無線アクセスネットワークはＮＲネットワークであり、当該第２の無線アクセスネットワークはＬＴＥネットワークであり、当該第２の切り替えモードでは、当該ＮＲネットワークに対するコアネットワーク５ＧＣは変化しないとともに、５ＧＣでのＡＭＦのソースＡＭＦからターゲットＡＭＦへの切り替えが発生し、当該ＮＲネットワークにサービスを提供する５ＧＣは当該ＬＴＥネットワークにもサービスを提供する。
【００８８】
第９の態様の１つの実施形態において、当該第１のベアラ／ストリームはサービス品質識別子５ＱＩ＝１ストリームであり、当該第２のベアラ／ストリームは５ＱＩ＝１ストリームである。
【００８９】
第９の態様の１つの実施形態において、第３の切り替えモードでは、当該端末機器に適用されるＲＡＴによる当該第１の無線アクセスネットワークから当該第２の無線アクセスネットワークへの切り替えが発生し、そのうち、当該第３の切り替えモードでは、当該第１の無線アクセスネットワークに対するコアネットワークから当該第２の無線アクセスネットワークに対するコアネットワークへの切り替えが発生する。
【００９０】
第９の態様の１つの実施形態において、当該第１の無線アクセスネットワークはＮＲネットワークであり、当該第２の無線アクセスネットワークはＬＴＥネットワークであり、当該第３の切り替えモードでは、当該ＮＲネットワークに対する５ＧＣから当該ＬＴＥネットワークに対するパケットコアエボリューションＥＰＣへの切り替えが発生する。
【００９１】
第９の態様の１つの実施形態において、当該第１のベアラ／ストリームはサービス品質識別子５ＱＩ＝１ストリームであり、当該第２のベアラ／ストリームはサービス品質レベル識別子ＱＣＩ＝１ベアラである。
【００９２】
第１０の態様では、本願の実施例は、第１の態様又は第１の態様のいずれか１つの選択的な実施形態における方法のモジュール又はユニットを実行できるコアネットワーク機器を提供する。
【００９３】
第１１の態様では、本願の実施例は、第２の態様又は第２の態様のいずれか１つの選択的な実施形態における方法のモジュール又はユニットを実行できるコアネットワーク機器を提供する。
【００９４】
第１２の態様では、本願の実施例は、第３の態様又は第３の態様のいずれか１つの選択的な実施形態における方法のモジュール又はユニットを実行できるアクセスネットワーク機器を提供する。
【００９５】
第１３の態様では、本願の実施例は、第４の態様又は第４の態様のいずれか１つの選択的な実施形態における方法のモジュール又はユニットを実行できるコアネットワーク機器を提供する。
【００９６】
第１４の態様では、本願の実施例は、第５の態様又は第５の態様のいずれか１つの選択的な実施形態における方法のモジュール又はユニットを実行できるアクセスネットワーク機器を提供する。
【００９７】
第１５の態様では、本願の実施例は、第６の態様又は第６の態様のいずれか１つの選択的な実施形態における方法のモジュール又はユニットを実行できるコアネットワーク機器を提供する。
【００９８】
第１６の態様では、本願の実施例は、第７の態様又は第７の態様のいずれか１つの選択的な実施形態における方法のモジュール又はユニットを実行できるアクセスネットワーク機器を提供する。
【００９９】
第１７の態様では、本願の実施例は、第８の態様又は第８の態様のいずれか１つの選択的な実施形態における方法のモジュール又はユニットを実行できるコアネットワーク機器を提供する。
【０１００】
第１８の態様では、本願の実施例は、第９の態様又は第９の態様のいずれか１つの選択的な実施形態における方法のモジュール又はユニットを実行できる音声サービスの判定機器を提供する。
【０１０１】
第１９の態様では、コアネットワーク機器を提供し、当該コアネットワーク機器はプロセッサ、メモリ及び通信インタフェースを含む。プロセッサが、メモリと通信インタフェースに接続する。メモリが命令を記憶するためのものであり、プロセッサが当該命令を実行するためのものであり、通信インタフェースが、プロセッサの制御の下で、他のネットワーク要素と通信するためのものである。当該プロセッサが当該メモリに記憶された命令を実行する時、当該実行によって当該プロセッサが第１の態様又は第１の態様のいずれか１つ可能な実施形態における方法を実行させる。
【０１０２】
第２０の態様では、コアネットワーク機器を提供し、当該コアネットワーク機器はプロセッサ、メモリ及び通信インタフェースを含む。プロセッサが、メモリと通信インタフェースに接続する。メモリが命令を記憶するためのものであり、プロセッサが当該命令を実行するためのものであり、通信インタフェースが、プロセッサの制御の下で、他のネットワーク要素と通信するためのものである。当該プロセッサが当該メモリに記憶された命令を実行する時、当該実行によって当該プロセッサが第２の態様又は第２の態様のいずれか１つ可能な実施形態における方法を実行させる。
【０１０３】
第２１の態様では、アクセスネットワーク機器を提供し、当該アクセスネットワーク機器はプロセッサ、メモリ及び通信インタフェースを含む。プロセッサが、メモリと通信インタフェースに接続する。メモリが命令を記憶するためのものであり、プロセッサが当該命令を実行するためのものであり、通信インタフェースが、プロセッサの制御の下で、他のネットワーク要素と通信するためのものである。当該プロセッサが当該メモリに記憶された命令を実行する時、当該実行によって当該プロセッサが第３の態様又は第３の態様のいずれか１つ可能な実施形態における方法を実行させる。
【０１０４】
第２２の態様では、コアネットワーク機器を提供し、当該コアネットワーク機器はプロセッサ、メモリ及び通信インタフェースを含む。プロセッサが、メモリと通信インタフェースに接続する。メモリが命令を記憶するためのものであり、プロセッサが当該命令を実行するためのものであり、通信インタフェースが、プロセッサの制御の下で、他のネットワーク要素と通信するためのものである。当該プロセッサが当該メモリに記憶された命令を実行する時、当該実行によって当該プロセッサが第４の態様又は第４の態様のいずれか１つ可能な実施形態における方法を実行させる。
【０１０５】
第２３の態様では、アクセスネットワーク機器を提供し、当該アクセスネットワーク機器はプロセッサ、メモリ及び通信インタフェースを含む。プロセッサが、メモリと通信インタフェースに接続する。メモリが命令を記憶するためのものであり、プロセッサが当該命令を実行するためのものであり、通信インタフェースが、プロセッサの制御の下で、他のネットワーク要素と通信するためのものである。当該プロセッサが当該メモリに記憶された命令を実行する時、当該実行によって当該プロセッサが第５の態様又は第５の態様のいずれか１つ可能な実施形態における方法を実行させる。
【０１０６】
第２４の態様では、コアネットワーク機器を提供し、当該コアネットワーク機器はプロセッサ、メモリ及び通信インタフェースを含む。プロセッサが、メモリと通信インタフェースに接続する。メモリが命令を記憶するためのものであり、プロセッサが当該命令を実行するためのものであり、通信インタフェースが、プロセッサの制御の下で、他のネットワーク要素と通信するためのものである。当該プロセッサが当該メモリに記憶された命令を実行する時、当該実行によって当該プロセッサが第６の態様又は第６の態様のいずれか１つ可能な実施形態における方法を実行させる。
【０１０７】
第２５の態様では、アクセスネットワーク機器を提供し、当該アクセスネットワーク機器はプロセッサ、メモリ及び通信インタフェースを含む。プロセッサが、メモリと通信インタフェースに接続する。メモリが命令を記憶するためのものであり、プロセッサが当該命令を実行するためのものであり、通信インタフェースが、プロセッサの制御の下で、他のネットワーク要素と通信するためのものである。当該プロセッサが当該メモリに記憶された命令を実行する時、当該実行によって当該プロセッサが第７の態様又は第７の態様のいずれか１つ可能な実施形態における方法を実行させる。
【０１０８】
第２６の態様では、コアネットワーク機器を提供し、当該コアネットワーク機器はプロセッサ、メモリ及び通信インタフェースを含む。プロセッサが、メモリと通信インタフェースに接続する。メモリが命令を記憶するためのものであり、プロセッサが当該命令を実行するためのものであり、通信インタフェースが、プロセッサの制御の下で、他のネットワーク要素と通信するためのものである。当該プロセッサが当該メモリに記憶された命令を実行する時、当該実行によって当該プロセッサが第８の態様又は第８の態様のいずれか１つ可能な実施形態における方法を実行させる。
【０１０９】
第２７の態様では、音声サービスの判定機器を提供し、当該音声サービスの判定機器はプロセッサ、メモリ及び通信インタフェースを含む。プロセッサが、メモリと通信インタフェースに接続する。メモリが命令を記憶するためのものであり、プロセッサが当該命令を実行するためのものであり、通信インタフェースが、プロセッサの制御の下で、他のネットワーク要素と通信するためのものである。当該プロセッサが当該メモリに記憶された命令を実行する時、当該実行によって当該プロセッサが第９の態様又は第９の態様のいずれか１つ可能な実施形態における方法を実行させる。
【０１１０】
第２８の態様では、コンピュータ記憶媒体を提供し、当該コンピュータ記憶媒体にプログラムコードが記憶され、当該プログラムコードは、コンピュータが上記第１の態様又は第１の態様のいずれか１つ可能な実施形態における方法の命令を実行するように指示するためのものである。
【０１１１】
第２９の態様では、コンピュータ記憶媒体を提供し、当該コンピュータ記憶媒体にプログラムコードが記憶され、当該プログラムコードは、コンピュータが上記第２の態様又は第２の態様のいずれか１つ可能な実施形態における方法の命令を実行するように指示するためのものである。
【０１１２】
第３０の態様では、コンピュータ記憶媒体を提供し、当該コンピュータ記憶媒体にプログラムコードが記憶され、当該プログラムコードは、コンピュータが上記第３の態様又は第３の態様のいずれか１つ可能な実施形態における方法の命令を実行するように指示するためのものである。
【０１１３】
第３１の態様では、コンピュータ記憶媒体を提供し、当該コンピュータ記憶媒体にプログラムコードが記憶され、当該プログラムコードは、コンピュータが上記第４の態様又は第４の態様のいずれか１つ可能な実施形態における方法の命令を実行するように指示するためのものである。
【０１１４】
第３２の態様では、コンピュータ記憶媒体を提供し、当該コンピュータ記憶媒体にプログラムコードが記憶され、当該プログラムコードは、コンピュータが上記第５の態様又は第５の態様のいずれか１つ可能な実施形態における方法の命令を実行するように指示するためのものである。
【０１１５】
第３３の態様では、コンピュータ記憶媒体を提供し、当該コンピュータ記憶媒体にプログラムコードが記憶され、当該プログラムコードは、コンピュータが上記第６の態様又は第６の態様のいずれか１つ可能な実施形態における方法の命令を実行するように指示するためのものである。
【０１１６】
第３４の態様では、コンピュータ記憶媒体を提供し、当該コンピュータ記憶媒体にプログラムコードが記憶され、当該プログラムコードは、コンピュータが上記第７の態様又は第７の態様のいずれか１つ可能な実施形態における方法の命令を実行するように指示するためのものである。
【０１１７】
第３５の態様では、コンピュータ記憶媒体を提供し、当該コンピュータ記憶媒体にプログラムコードが記憶され、当該プログラムコードは、コンピュータが上記第８の態様又は第８の態様のいずれか１つ可能な実施形態における方法の命令を実行するように指示するためのものである。
【０１１８】
第３６の態様では、コンピュータ記憶媒体を提供し、当該コンピュータ記憶媒体にプログラムコードが記憶され、当該プログラムコードは、コンピュータが上記第９の態様又は第９の態様のいずれか１つ可能な実施形態における方法の命令を実行するように指示するためのものである。
【０１１９】
第３７の態様では、命令を含むコンピュータプログラム製品を提供し、コンピュータで実行される時、コンピュータに上記各態様に記載の方法を実行させる。
【図面の簡単な説明】
【０１２０】
【図１】本願の実施例に適用される無線通信システムを示す。
【図２】本願の実施例に基づく音声フォールバックを決定する方法の概略フローチャートである。
【図３】本願の実施例に基づく第１の無線アクセスネットワークと第２の無線アクセスネットワークのカバレッジの重複エリアの概略図である。
【図４】本願の実施例に基づく１つのネットワーク切り替え後の復帰方法の概略フローチャートである。
【図５】本願の実施例に基づく他のネットワーク切り替え後の復帰方法の概略フローチャートである。
【図６】本願の実施例に基づく別のネットワーク切り替え後の復帰方法の概略フローチャートである。
【図７】本願の実施例に基づく別のネットワーク切り替え後の復帰方法の概略フローチャートである。
【図８】本願の実施例に基づく別のネットワーク切り替え後の復帰方法の概略フローチャートである。
【図９】本願の実施例に基づく別のネットワーク切り替え後の復帰方法の概略フローチャートである。
【図１０】本願の実施例に基づくネットワーク切り替えの目的を指示する方法の概略フローチャートである。
【図１１】本願の実施例に基づく音声サービスの判定方法の概略フローチャートである。
【図１２】本願の実施例に基づく１つのネットワーク切り替えの方法の概略フローチャートである。
【図１３】本願の実施例に基づく他のネットワーク切り替えの方法の概略フローチャートである。
【図１４】本願の実施例に基づく別のネットワーク切り替えの方法の概略フローチャートである。
【図１５】本願の実施例に基づく１つのコアネットワーク機器の概略ブロック図である。
【図１６】本願の実施例に基づく他のコアネットワーク機器の概略ブロック図である。
【図１７】本願の実施例に基づく１つのアクセスネットワーク機器の概略ブロック図である。
【図１８】本願の実施例に基づく別のコアネットワーク機器の概略ブロック図である。
【図１９】本願の実施例に基づく他のアクセスネットワーク機器の概略ブロック図である。
【図２０】本願の実施例に基づく別のコアネットワーク機器の概略ブロック図である。
【図２１】本願の実施例に基づく別のアクセスネットワーク機器の概略ブロック図である。
【図２２】本願の実施例に基づく別のコアネットワーク機器の概略ブロック図である。
【図２３】本願の実施例に基づく音声サービスの判定機器の概略ブロック図である。
【図２４】本願の実施例で提供する通信機器を示す概略ブロック図である。
【図２５】本願の実施例に基づくシステムチップの概略構造図である。
【発明を実施するための形態】
【０１２１】
以下、本願の実施例における図面を参照しながら、本願の実施例における技術的解決手段について明瞭、また完全に説明する。
【０１２２】
本願の実施例に係る技術的解決手段は５Ｇ  ＮＲ通信システムに適用できる。
【０１２３】
図１は本願の実施例に適用される無線通信システム１００を示す。当該無線通信システム１００はアクセスネットワーク機器１１０を含んでもよい。アクセスネットワーク機器１１０は端末機器と通信する機器であってもよい。アクセスネットワーク機器１１０は特定の地理的エリアに通信カバレッジを提供することができ、さらに、当該カバレッジエリア内にある端末機器（例えばＵＥ）と通信することができる。一実施形態において、当該アクセスネットワーク機器１１０は、次世代無線アクセスネットワーク（Ｎｅｘｔ  Ｇｅｎｅｒａｔｉｏｎ  Ｒａｄｉｏ  Ａｃｃｅｓｓ  Ｎｅｔｗｏｒｋ、ＮＧ  ＲＡＮ）であってもよく、又はＮＲシステムでの基地局（ｇＮＢ）であってもよく、又はクラウド無線アクセスネットワーク（Ｃｌｏｕｄ  Ｒａｄｉｏ  Ａｃｃｅｓｓ  Ｎｅｔｗｏｒｋ、ＣＲＡＮ）での無線コントローラーであってもよく、さらに、当該アクセスネットワーク機器は、中継局、アクセスポイント、車載機器、ウェアラブル機器、又は未来の進化型公共陸上モバイルネットワーク（Ｐｕｂｌｉｃ  Ｌａｎｄ  Ｍｏｂｉｌｅ  Ｎｅｔｗｏｒｋ、ＰＬＭＮ）でのネットワーク機器などであってもよい。一実施形態において、当該アクセスネットワーク機器１１０はまた、ＬＴＥシステムでの基地局、例えば、進化型汎用陸上ベースの無線アクセスネットワーク（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、Ｅ−ＵＴＲＡＮ）機器であってもよい。
【０１２４】
当該無線通信システム１００はアクセスネットワーク機器１１０カバレッジ範囲内にある少なくとも１つの端末機器１２０をさらに含む。端末機器１２０はモバイル又は固定的なものであってもよい。一実施形態において、端末機器１２０は、アクセス端末、ユーザ機器（Ｕｓｅｒ  Ｅｑｕｉｐｍｅｎｔ、ＵＥ）、ユーザユニット、ユーザステーション、モバイルテーション、モバイル局、遠方ステーション、リモート端末、モバイル機器、ユーザ端末、端末、無線通信機器、ユーザエージェント又はユーザ装置を指してもよい。アクセス端末は、セルラー電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、ワイヤレスローカルループ（Ｗｉｒｅｌｅｓｓ  Ｌｏｃａｌ  Ｌｏｏｐ、ＷＬＬ）ステーション、パーソナルデジタルアシスタント（Ｐｅｒｓｏｎａｌ  Ｄｉｇｉｔａｌ  Ａｓｓｉｓｔａｎｔ、ＰＤＡ）、ワイヤレス通信機能付きのハンドヘルド機器、コンピューティング機器又はワイヤレスモデムに接続された他のプロセッシング機器、車載機器、ウェアラブル機器及び未来５Ｇネットワークでの端末機器又は未来進化型ＰＬＭＮでの端末機器などであってもよい。
【０１２５】
当該無線通信システム１００はアクセスネットワーク機器に通信するコアネットワーク機器１３０をさらに含む。一実施形態において、当該コアネットワーク機器１３０は５Ｇコアネットワーク機器、例えば、アクセスとモビリティ管理機能（Ａｃｃｅｓｓ  ａｎｄ  Ｍｏｂｉｌｉｔｙ  Ｍａｎａｇｅｍｅｎｔ  Ｆｕｎｃｔｉｏｎ、ＡＭＦ）、また、例えば、セッション管理機能（Ｓｅｓｓｉｏｎ  Ｍａｎａｇｅｍｅｎｔ  Ｆｕｎｃｔｉｏｎ、ＳＭＦ）であってもよい。一実施形態において、当該コアネットワーク機器１３０はまた、ＬＴＥネットワークの進化型パケットコア（Ｅｖｏｌｖｅｄ  Ｐａｃｋｅｔ  Ｃｏｒｅ、ＥＰＣ）機器、例えば、セッション管理機能＋コアネットワーク側のデータゲートウェイ（Ｓｅｓｓｉｏｎ  Ｍａｎａｇｅｍｅｎｔ  Ｆｕｎｃｔｉｏｎ  ＋  Ｃｏｒｅ  Ｐａｃｋｅｔ  Ｇａｔｅｗａｙ、ＳＭＦ＋ＰＧＷ−Ｃ）機器であってもよい。
【０１２６】
理解すべきものとして、ＳＭＦ＋ＰＧＷ−ＣはＳＭＦとＰＧＷ−Ｃが実現できる機能を共に実現させることができる。
【０１２７】
本願の実施例では、ＡＭＦはＳＭＦと情報のやり取りを行うことができ、例えば、ＳＭＦはＡＭＦからいくつかの無線アクセスネットワーク側の情報を取得する。
【０１２８】
本願の実施例では、ＡＭＦは、無線アクセスネットワークからフォールバック識別子、又は、端末機器に対する第１のベアラ／ストリームの構築が成功しなかったことを指示するためのメッセージを取得してもよい。
【０１２９】
図１は、１つのアクセスネットワーク機器、１つのコアネットワーク機器及び２つの端末機器を例示的に示し、一実施形態において、当該無線通信システム１００は複数のアクセスネットワーク機器を含んでもよく、さらに、各アクセスネットワーク機器のカバレッジ範囲内に他の数の端末機器が含まれてもよく、本願の実施例はこれを限定しない。
【０１３０】
一実施形態において、当該無線通信システム１００はまた、モバイル管理エンティティ（Ｍｏｂｉｌｅ  Ｍａｎａｇｅｍｅｎｔ  Ｅｎｔｉｔｙ、ＭＭＥ）、統合データ管理（Ｕｎｉｆｉｅｄ  Ｄａｔａ  Ｍａｎａｇｅｍｅｎｔ、ＵＤＭ）、認証サーバ機能（Ａｕｔｈｅｎｔｉｃａｔｉｏｎ  Ｓｅｒｖｅｒ  Ｆｕｎｃｔｉｏｎ、ＡＵＳＦ）、ユーザプレーン機能（Ｕｓｅｒ  Ｐｌａｎｅ  Ｆｕｎｃｔｉｏｎ、ＵＰＦ）、シグナリングゲートウェイ（Ｓｉｇｎａｌｉｎｇ  Ｇａｔｅｗａｙ、ＳＧＷ）など他のネットワークエンティティを含んでもよく、本願の実施例はこれを限定しない。
【０１３１】
理解すべきものとして、本明細書における「システム」と「ネットワーク」という用語は本明細書でしばしば互換的に使用されることができる。本明細書における「及び／又は」という用語は、関連オブジェクトを説明する一種の関連関係にすぎず、３種類の関係があることができることを示し、例えば、Ａ及び／又はＢは、Ａが単独で存在し、ＡとＢが同時に存在し、Ｂが単独で存在するといった３つの状況を示すことができる。また、本明細書におけるキャラクター「／」は、一般的に、前後関連オブジェクトが「又は」という関係であることを示す。
【０１３２】
図２は、本願の実施例に基づく音声フォールバックを決定する方法２００の概略フローチャートである。図２に示すように、アクセスネットワーク機器は図１に示すようなアクセスネットワーク機器であってもよく、端末機器は図１に示すような端末機器であってもよく、第１の機器は図１に示すようなコアネットワーク機器であってもよい。当該方法２００は以下の内容を含む。
【０１３３】
２１０、端末機器に適用されるＲＡＴによる第１の無線アクセスネットワークから第２の無線アクセスネットワークへの切り替えの過程には、第１の機器は、当該端末機器がアクセスしようとする当該第２の無線アクセスネットワーク下のターゲットアクセスネットワーク機器識別子を取得し、当該第１の無線アクセスネットワークと当該第２の無線アクセスネットワークは異なる通信プロトコルバージョンのネットワークであり、当該第１の無線アクセスネットワークのカバレッジエリアと当該第２の無線アクセスネットワークのカバレッジエリアの間に重複エリアがある。
【０１３４】
一実施形態において、当該第１の無線アクセスネットワークはＮＲネットワークであってもよく、当該第２の無線アクセスネットワークはＬＴＥネットワークであってもよい。
【０１３５】
一実施形態において、図３に示すように、当該ＮＲネットワークのカバレッジエリアと当該ＬＴＥネットワークのカバレッジエリアの間に重複エリアがある。
【０１３６】
理解すべきものとして、図３におけるＮＲネットワークのカバレッジエリアがＬＴＥネットワークのカバレッジエリアより小さいことは例示的なものにすぎず、さらに、ＮＲネットワークのカバレッジエリアがＬＴＥネットワークのカバレッジエリアより大きいか又はＬＴＥネットワークのカバレッジエリアに等しいことであってもよく、本願の実施例はこれを限定しない。
【０１３７】
一実施形態において、当該端末機器が当該重複エリアにあるとともに、当該端末機器がＮＲネットワークにアクセスした場合、当該重複エリア内では、当該端末機器では、通常のデータサービスを実行することができ、当該端末機器では、音声サービスの実行が必要とされる場合、端末機器に適用されるＲＡＴによるＮＲネットワークからＬＴＥネットワークへのフォールバック（切り替え）がトリガーされる。
【０１３８】
一実施形態において、５Ｇ  ＮＲネットワーク展開において、ネットワークが音声サービスをサポートしない可能性があり、端末機器では、音声サービスの実行が必要とされる場合、ＮＲネットワークからＬＴＥネットワークへのフォールバック（切り替え）を必要とする。
【０１３９】
一実施形態において、当該第１の無線アクセスネットワークが混雑している場合、当該端末機器に適用されるＲＡＴによる当該第１の無線アクセスネットワークから当該第２の無線アクセスネットワークへの切り替えが発生する。
【０１４０】
一実施形態において、当該第１の機器はアクセスとモビリティ管理機能（Ａｃｃｅｓｓ  ａｎｄ  Ｍｏｂｉｌｉｔｙ  Ｍａｎａｇｅｍｅｎｔ  Ｆｕｎｃｔｉｏｎ、ＡＭＦ）機器である。
【０１４１】
一実施形態において、当該端末機器がアクセスしようとする当該第２の無線アクセスネットワークでのターゲットアクセスネットワーク機器識別子は進化型基地局識別子（Ｅｖｏｌｖｅｄ  Ｎｏｄｅ  Ｂ  ＩＤｅｎｔｉｔｙ、ｅＮＢ  ＩＤ）であってもよい。
【０１４２】
一実施形態において、当該端末機器に適用されるＲＡＴによる当該第１の無線アクセスネットワークから当該第２の無線アクセスネットワークへの切り替えは、以下３種類の切り替えモードによって行われることができる。
第１の切り替えモードでは、当該端末機器に適用されるＲＡＴによる当該ＮＲネットワークから当該ＬＴＥネットワークへの切り替え、及び、当該ＮＲネットワークに対するコアネットワーク（５Ｇ  Ｃｏｒｅ、５ＧＣ）は変化せず、さらに、５ＧＣでのＡＭＦも変化せず、当該ＮＲネットワークにサービスを提供する５ＧＣは当該ＬＴＥネットワークにもサービスを提供する。
第２の切り替えモードでは、当該端末機器に適用されるＲＡＴによる当該ＮＲネットワークから当該ＬＴＥネットワークへの切り替え、及び、当該ＮＲネットワークに対する５ＧＣは変化せず、さらに、５ＧＣでのＡＭＦのソースＡＭＦからターゲットＡＭＦへの切り替えが発生し、当該ＮＲネットワークにサービスを提供する５ＧＣは当該ＬＴＥネットワークにもサービスを提供する。
第３の切り替えモードでは、当該端末機器に適用されるＲＡＴによる当該ＮＲネットワークから当該ＬＴＥネットワークへの切り替え、及び、当該ＮＲネットワークに対する５ＧＣから当該ＬＴＥネットワークに対する進化型パケットコア（Ｅｖｏｌｖｅｄ  Ｐａｃｋｅｔ  Ｃｏｒｅ、ＥＰＣ）への切り替えが発生する。
【０１４３】
一実施形態において、当該第１の切り替えモードでの切り替えはＸｎインタフェースを基にするＨＯであってもよい。
【０１４４】
一実施形態において、当該第２の切り替えモードでの切り替えはＮ２インタフェースを基にするＨＯであってもよい。
【０１４５】
一実施形態において、アクセスネットワーク機器は当該第１の切り替えモードでの、又は当該第２の切り替えモードでの、又は第３の切り替えモードでの切り替えをトリガーする。
【０１４６】
２２０、第１のセットに当該ターゲットアクセスネットワーク機器識別子がある場合、当該第１の機器は、当該端末機器に適用されるＲＡＴによる当該第１の無線アクセスネットワークから当該第２の無線アクセスネットワークへの切り替えの目的が音声サービスの実行にあたると決定し、当該第１のセットに当該重複エリア内にある当該第２の無線アクセスネットワークでの全てのアクセスネットワーク機器識別子が含まれる。
【０１４７】
一実施形態において、当該第１のセットはプリセットされたものである。
【０１４８】
一実施形態において、当該方法２００は、
当該第１の機器は、第２の無線アクセスネットワークへと一斉に切り替える必要のある音声サービス進行中のストリーム／ベアラがあると決定するステップをさらに含む。
【０１４９】
具体的に、ＡＭＦ機器はＬＴＥネットワークへと一斉に切り替える必要のある音声サービス進行中の５ＱＩ＝１のストリームがあると決定する。
【０１５０】
理解すべきものとして、ＮＲネットワークでは、ストリームが音声サービスを実行することに用いられるのに対し、ＬＴＥネットワークでは、ベアラが音声サービスを実行することに用いられる。
【０１５１】
一実施形態において、サービス品質（Ｑｕａｌｉｔｙ  ｏｆ  Ｓｅｒｖｉｃｅ、ＱｏＳ）識別子レベルで異なるサービスを実行させるためのベアラ／ストリームを区別することができる。
【０１５２】
例えば、ＬＴＥネットワークでは、サービス品質レベル識別子（ＱｏＳ  Ｃｌａｓｓ  Ｉｄｅｎｔｉｆｉｅｒ、ＱＣＩ）は９つのレベル（１−９）に分けられることができ、ＱＣＩ＝１のベアラは音声サービスの実行に用いられ、ＱＣＩ＝２のベアラはビデオサービスの実行に用いられ、ＱＣＩ＝９のベアラはデータサービスの実行に用いられる。
【０１５３】
また、例えば、ＮＲネットワークでは、５Ｇネットワークでのサービス品質識別子（５Ｇ  Ｑｕａｌｉｔｙ  ｏｆ  Ｓｅｒｖｉｃｅ  Ｉｄｅｎｔｉｆｉｅｒ、５ＱＩ）も複数のレベルに分けられることができ、例えば、５ＱＩ＝１のストリームは音声サービスの実行に用いられる。
【０１５４】
一実施形態において、当該第１のセットに当該ターゲットアクセスネットワーク機器識別子があり、さらに、当該第１の機器は、第２の無線アクセスネットワークへと一斉に切り替える必要のある音声サービス進行中のストリーム／ベアラがあると決定する場合、当該第１の機器は、当該端末機器に適用されるＲＡＴによる当該第１の無線アクセスネットワークから当該第２の無線アクセスネットワークへの切り替えの目的が音声サービスの実行にあたると決定する。
【０１５５】
一実施形態において、当該第１のセットに当該ターゲットアクセスネットワーク機器識別子があること、及び第２の無線アクセスネットワークへと一斉に切り替える必要のある音声サービス進行中のストリーム／ベアラがあることという２つの条件が同時に満たされた場合、当該第１の機器は、当該端末機器に適用されるＲＡＴによる当該第１の無線アクセスネットワークから当該第２の無線アクセスネットワークへの切り替えの目的が音声サービスの実行にあたると決定する。
【０１５６】
一実施形態において、当該方法２００は、
当該ＡＭＦ機器は第２の機器に指示情報を送信し、当該指示情報は音声識別子及び／又は切り替えの前の公共陸上モバイル通信ネットワーク（Ｐｕｂｌｉｃ  Ｌａｎｄ  Ｍｏｂｉｌｅ  Ｎｅｔｗｏｒｋ、ＰＬＭＮ）識別子を含み、当該指示情報は当該端末機器に適用されるＲＡＴによる当該ＮＲネットワークから当該ＬＴＥネットワークへの切り替えの目的が音声サービスの実行にあたることを当該第２の機器に指示するためのものであるステップをさらに含む。
【０１５７】
一実施形態において、当該音声識別子によって、当該端末機器に適用されるＲＡＴによる当該ＮＲネットワークから当該ＬＴＥネットワークへの切り替えの目的が音声サービスの実行にあたることを当該第２の機器に指示することができる。
【０１５８】
一実施形態において、当該音声識別子は、ネットワークフォールバックの目的を識別する識別子であってもよい。
【０１５９】
一実施形態において、第１の切り替えモードでは、当該ＡＭＦ機器はセッション管理機能（Ｓｅｓｓｉｏｎ  Ｍａｎａｇｅｍｅｎｔ  Ｆｕｎｃｔｉｏｎ、ＳＭＦ）機器に当該指示情報を送信する。
【０１６０】
一実施形態において、第２の切り替えモードでは、当該ソースＡＭＦ機器はターゲットＡＭＦ機器に当該指示情報を送信する。
【０１６１】
一実施形態において、第３の切り替えモードでは、当該ＡＭＦ機器はＭＭＥ機器に当該指示情報を送信する。
【０１６２】
従って、本願の実施例に係る音声フォールバックを決定する方法において、端末機器に適用されるＲＡＴによる第１の無線アクセスネットワークから第２の無線アクセスネットワークへの切り替えの過程には、第１のセットに端末機器がアクセスしようとする第２の無線アクセスネットワークの下のターゲットアクセスネットワーク機器識別子がある場合、第１の機器は、端末機器に適用されるＲＡＴによる第１の無線アクセスネットワークから第２の無線アクセスネットワークへの切り替えの目的が音声サービスの実行にあたると決定し、これにより、端末機器でネットワークの切り替えが行われる時、音声サービスに対する切り替えであるかどうかを正確に判定することができ、さらに、切り替えの後、音声サービスを迅速に実行させ、音声サービスの判定によるシグナリングのオーバーヘッドを減少させることが可能になる。
【０１６３】
図４は、本願の実施例に基づく１つのネットワーク切り替え後の復帰方法３００の概略フローチャートである。図４に示すように、アクセスネットワーク機器は図１に示すようなアクセスネットワーク機器であってもよく、端末機器は図１に示すような端末機器であってもよく、第１の機器は図１に示すようなコアネットワーク機器であってもよい。当該方法３００は以下の内容を含む。
【０１６４】
３１０、端末機器に適用されるＲＡＴによる第１の無線アクセスネットワークから第２の無線アクセスネットワークへの切り替えの後、第１の機器はアクセスネットワーク機器に現在のベアラ／ストリームを削除する指示情報を送信し、当該指示情報は切り替えの前のＰＬＭＮ識別子及び／又は切り替えの前のアクセスネットワーク機器識別子を含み、当該第１の無線アクセスネットワークと当該第２の無線アクセスネットワークは異なる通信プロトコルバージョンのネットワークであり、当該第１の無線アクセスネットワークのカバレッジエリアと当該第２の無線アクセスネットワークのカバレッジエリアの間に重複エリアがある。
【０１６５】
一実施形態において、当該現在のベアラ／ストリームは音声サービスの実行用のベアラ／ストリームである。
【０１６６】
一実施形態において、端末機器では、音声サービスの実行後、当該第１の機器は当該アクセスネットワーク機器に現在のベアラ／ストリームを削除する当該指示情報を送信する。
【０１６７】
一実施形態において、当該現在のベアラ／ストリームは切り替えの前に構築されたベアラ／ストリームであってもよく、切り替えの後に構築されたベアラ／ストリームであってもよい。
【０１６８】
一実施形態において、当該第１の無線アクセスネットワークはＮＲネットワークであり、当該第２の無線アクセスネットワークはＬＴＥネットワークである。
【０１６９】
一実施形態において、当該第１の機器はＡＭＦ機器又はＭＭＥ機器であり、当該アクセスネットワーク機器は当該ＮＲネットワークに対するｇＮＢである。
【０１７０】
一実施形態において、当該方法３００は、
当該第１の機器は、当該切り替えの前のＰＬＭＮ識別子及び／又は切り替えの前のアクセスネットワーク機器識別子を取得するステップをさらに含む。
【０１７１】
一実施形態において、当該第１の機器はＡＭＦ機器であり、第１の切り替えモードでは、当該端末機器に適用されるＲＡＴによる当該ＮＲネットワークから当該ＬＴＥネットワークへの切り替えが発生した場合、当該ＡＭＦ機器は、切り替えの前のアクセスネットワーク機器から当該切り替えの前のＰＬＭＮ識別子及び／又は切り替えの前のアクセスネットワーク機器識別子を取得する。
【０１７２】
一実施形態において、当該第１の機器はＡＭＦ機器であり、第２の切り替えモードでは、当該端末機器に適用されるＲＡＴによる当該ＮＲネットワークから当該ＬＴＥネットワークへの切り替えが発生した場合、当該ターゲットＡＭＦ機器は当該ソースＡＭＦ機器から当該切り替えの前のＰＬＭＮ識別子及び／又は切り替えの前のアクセスネットワーク機器識別子を取得する。
【０１７３】
一実施形態において、当該第１の機器はＭＭＥ機器であり、第３の切り替えモードでは、当該端末機器に適用されるＲＡＴによる当該ＮＲネットワークから当該ＬＴＥネットワークへの切り替えが発生した場合、当該ＭＭＥ機器はＡＭＦ機器から当該切り替えの前のＰＬＭＮ識別子及び／又は切り替えの前のアクセスネットワーク機器識別子を取得する。
【０１７４】
理解すべきものとして、ネットワーク切り替え後の復帰方法３００におけるステップは、音声フォールバックを決定する方法２００における相応のステップの説明を参照することができ、簡潔のために、ここでは繰り返して説明しない。
【０１７５】
従って、本願の実施例に係るネットワーク切り替え後の復帰方法において、端末機器に適用されるＲＡＴによる第１の無線アクセスネットワークから第２の無線アクセスネットワークへの切り替えの後、第１の機器はアクセスネットワーク機器に現在のベアラ／ストリームを削除する指示情報を送信し、さらに、指示情報に切り替えの前のＰＬＭＮ識別子及び／又は切り替えの前のアクセスネットワーク機器識別子が含まれており、これにより、アクセスネットワーク機器は切り替えの前のＰＬＭＮ識別子及び／又は切り替えの前のアクセスネットワーク機器識別子に基づいて端末機器に適用されるＲＡＴによる第２の無線アクセスネットワークから第１の無線アクセスネットワークへの復帰をトリガーするように決定することができ、さらに、端末機器で第１の無線アクセスネットワークを最大限に体験することができ、ユーザエクスペリエンスを向上させる。
【０１７６】
図５は、本願の実施例に基づく１つのネットワーク切り替え後の復帰方法４００の概略フローチャートである。図５に示すように、アクセスネットワーク機器は図１に示すようなアクセスネットワーク機器であってもよく、端末機器は図１に示すような端末機器であってもよく、第１の機器は図１に示すようなコアネットワーク機器であってもよい。当該方法４００は以下の内容を含む。
【０１７７】
４１０、端末機器に適用される無線アクセス技術ＲＡＴによる第１の無線アクセスネットワークから第２の無線アクセスネットワークへの切り替えの後、アクセスネットワーク機器は第１の機器から送信された現在のベアラ／ストリームを削除する指示情報を受信し、当該指示情報は切り替えの前のＰＬＭＮ識別子及び／又は切り替えの前のアクセスネットワーク機器識別子を含み、当該第１の無線アクセスネットワークと当該第２の無線アクセスネットワークは異なる通信プロトコルバージョンのネットワークであり、当該第１の無線アクセスネットワークのカバレッジエリアと当該第２の無線アクセスネットワークのカバレッジエリアの間に重複エリアがある。
【０１７８】
一実施形態において、当該現在のベアラ／ストリームは音声サービスの実行用のベアラ／ストリームである。
【０１７９】
一実施形態において、現在のベアラ／ストリームを削除することは、現在のベアラ／ストリームを解放することを指してもよい。
【０１８０】
一実施形態において、当該第１の無線アクセスネットワークはＮＲネットワークであり、当該第２の無線アクセスネットワークはＬＴＥネットワークである。
【０１８１】
一実施形態において、当該アクセスネットワーク機器は当該ＮＲネットワークに対するｇＮＢであり、当該第１の機器はＡＭＦ機器又はＭＭＥ機器である。
【０１８２】
４２０、当該指示情報に基づいて当該現在のベアラを削除した後、当該アクセスネットワーク機器は当該切り替えの前のＰＬＭＮ識別子及び／又は当該切り替えの前のアクセスネットワーク機器識別子に基づき、当該端末機器に適用されるＲＡＴによる当該第２の無線アクセスネットワークから当該第１の無線アクセスネットワークへの復帰をトリガーするように決定する。
【０１８３】
一実施形態において、当該端末機器に適用されるＲＡＴによる当該第２の無線アクセスネットワークから当該第１の無線アクセスネットワークへの復帰は以下２種類の切り替えモードによって行われることができる。
【０１８４】
第１の切り替えモードでは、当該ＮＲネットワークに対するコアネットワーク（５Ｇ  Ｃｏｒｅ、５ＧＣ）は変化せず、この時、当該第１の機器はＡＭＦ機器又はターゲットＡＭＦ機器であり、当該アクセスネットワーク機器はｇＮＢである。
【０１８５】
第２の切り替えモードでは、当該ＬＴＥネットワークに対する進化型パケットコア（Ｅｖｏｌｖｅｄ  Ｐａｃｋｅｔ  Ｃｏｒｅ、ＥＰＣ）から当該ＮＲネットワークに対する５ＧＣへの切り替え復帰が発生し、この時、当該第１の機器はＭＭＥ機器であり、当該アクセスネットワーク機器はｇＮＢである。
【０１８６】
理解すべきものとして、ネットワーク切り替え後の復帰方法４００におけるステップは音声フォールバックを決定する方法２００における相応のステップの説明を参照することができ、簡潔のために、ここでは繰り返して説明しない。
【０１８７】
従って、本願の実施例に係るネットワーク切り替え後の復帰方法において、端末機器に適用されるＲＡＴによる第１の無線アクセスネットワークから第２の無線アクセスネットワークへの切り替えの後、第１の機器はアクセスネットワーク機器に現在のベアラ／ストリームを削除する指示情報を送信し、さらに、指示情報に切り替えの前のＰＬＭＮ識別子及び／又は切り替えの前のアクセスネットワーク機器識別子が含まれており、これにより、アクセスネットワーク機器は切り替えの前のＰＬＭＮ識別子及び／又は切り替えの前のアクセスネットワーク機器識別子に基づいて端末機器に適用されるＲＡＴによる第２の無線アクセスネットワークから第１の無線アクセスネットワークへの復帰をトリガーするように決定し、さらに、端末機器で第１の無線アクセスネットワークを最大限に体験することができ、ユーザエクスペリエンスを向上させる。
【０１８８】
図６は、本願の実施例に基づく１つのネットワーク切り替え後の復帰方法５００の概略フローチャートである。図６に示すように、アクセスネットワーク機器は図１に示すようなアクセスネットワーク機器であってもよく、端末機器は図１に示すような端末機器であってもよく、第１の機器は図１に示すようなコアネットワーク機器であってもよい。当該方法５００は以下の内容を含む。
【０１８９】
５１０、端末機器に適用されるＲＡＴによる第１の無線アクセスネットワークから第２の無線アクセスネットワークへの切り替えの後、第１の機器はアクセスネットワーク機器に切り替え指示を送信し、当該切り替え指示は当該アクセスネットワーク機器が当該端末機器に適用されるＲＡＴによる当該第２の無線アクセスネットワークから当該第１の無線アクセスネットワークへの復帰をトリガーすることを指示するためのものであり、当該第１の無線アクセスネットワークと当該第２の無線アクセスネットワークは異なる通信プロトコルバージョンのネットワークである。
【０１９０】
一実施形態において、当該第１の無線アクセスネットワークはＮＲネットワークであってもよく、当該第２の無線アクセスネットワークはＬＴＥネットワークであってもよい。
【０１９１】
一実施形態において、当該端末機器で音声サービスの実行が必要とされる場合、当該端末機器に適用されるＲＡＴによる当該第１の無線アクセスネットワークから当該第２の無線アクセスネットワークへの切り替えが発生する。
【０１９２】
５Ｇ  ＮＲネットワーク展開において、ネットワークが音声サービスをサポートする可能性があり、端末機器では、音声サービスの実行が必要とされる場合、ＮＲネットワークからＬＴＥネットワークへのフォールバック（切り替え）を必要とする。
【０１９３】
一実施形態において、当該第１の無線アクセスネットワークが混雑している場合、当該端末機器に適用されるＲＡＴによる当該第１の無線アクセスネットワークから当該第２の無線アクセスネットワークへの切り替えが発生する。
【０１９４】
一実施形態において、当該第１の機器はアクセスとモビリティ管理機能（Ａｃｃｅｓｓ  ａｎｄ  Ｍｏｂｉｌｉｔｙ  Ｍａｎａｇｅｍｅｎｔ  Ｆｕｎｃｔｉｏｎ、ＡＭＦ）機器又はセッション管理機能（Ｓｅｓｓｉｏｎ  Ｍａｎａｇｅｍｅｎｔ  Ｆｕｎｃｔｉｏｎ、ＳＭＦ）機器又はセッション管理機能＋コアネットワーク側のデータゲートウェイ（Ｓｅｓｓｉｏｎ  Ｍａｎａｇｅｍｅｎｔ  Ｆｕｎｃｔｉｏｎ  ＋  Ｃｏｒｅ  Ｐａｃｋｅｔ  Ｇａｔｅｗａｙ、ＳＭＦ＋ＰＧＷ−Ｃ）機器であり、当該アクセスネットワーク機器は進化型汎用陸上ベースの無線アクセスネットワーク（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、Ｅ−ＵＴＲＡＮ）機器である。
【０１９５】
一実施形態において、当該端末機器に適用されるＲＡＴによる当該第２の無線アクセスネットワークから当該第１の無線アクセスネットワークへの復帰は以下２種類の切り替えモードによって行われることができる。
【０１９６】
第１の切り替えモードでは、当該ＮＲネットワークに対するコアネットワーク（５Ｇ  Ｃｏｒｅ、５ＧＣ）は変化せず、この時、当該第１の機器はＡＭＦ機器又はＳＭＦ機器であり、当該アクセスネットワーク機器はＥ−ＵＴＲＡＮ機器である。
【０１９７】
第２の切り替えモードでは、当該ＬＴＥネットワークに対する進化型パケットコア（Ｅｖｏｌｖｅｄ  Ｐａｃｋｅｔ  Ｃｏｒｅ、ＥＰＣ）から当該ＮＲネットワークに対する５ＧＣへの切り替え復帰が発生し、この時、当該第１の機器はＳＭＦ＋ＰＧＷ−Ｃ機器であり、当該アクセスネットワーク機器はＥ−ＵＴＲＡＮ機器である。
【０１９８】
一実施形態において、当該端末機器に適用されるＲＡＴによる当該第１の無線アクセスネットワークから当該第２の無線アクセスネットワークへの切り替えの後、及び当該第１の機器が当該アクセスネットワーク機器に当該切り替え指示を送信する前、当該方法２００は、
当該第１の機器は、当該アクセスネットワーク機器が当該端末機器に対する第１のベアラ／ストリームを構築するようにトリガーし、当該第１のベアラ／ストリームは当該第２の無線アクセスネットワークでの音声サービスを実行させるためのものであるステップをさらに含む。
【０１９９】
理解すべきものとして、ＮＲネットワークでは、ストリームが音声サービスの実行に用いられるのに対し、ＬＴＥネットワークでは、ベアラが音声サービスの実行に用いられる。
【０２００】
一実施形態において、サービス品質（Ｑｕａｌｉｔｙ  ｏｆ  Ｓｅｒｖｉｃｅ、ＱｏＳ）識別子レベルで異なるサービスを実行させるためのベアラ／ストリームを区別することができる。
【０２０１】
例えば、ＬＴＥネットワークでは、サービス品質レベル識別子（ＱｏＳ  Ｃｌａｓｓ  Ｉｄｅｎｔｉｆｉｅｒ、ＱＣＩ）は９つのレベル（１ー９）に分けられることができ、ＱＣＩ＝１のベアラは音声サービスの実行に用いられ、ＱＣＩ＝２のベアラはビデオサービスの実行に用いられ、ＱＣＩ＝９のベアラはデータサービスの実行に用いられる。
【０２０２】
また、例えば、ＮＲネットワークでは、５Ｇネットワークでのサービス品質識別子（５Ｇ  Ｑｕａｌｉｔｙ  ｏｆ  Ｓｅｒｖｉｃｅ  Ｉｄｅｎｔｉｆｉｅｒ、５ＱＩ）も複数のレベルに分けられることができ、例えば、５ＱＩ＝１のストリームは音声サービスの実行に用いられる。
【０２０３】
一実施形態において、当該アクセスネットワーク機器は、当該切り替え指示を受信した後、当該切り替え指示に基づいて当該端末機器に適用されるＲＡＴによる当該第２の無線アクセスネットワークから当該第１の無線アクセスネットワークへの復帰をトリガーする。
【０２０４】
例えば、端末機器に適用されるＲＡＴによるＮＲネットワークからＬＴＥネットワークへの切り替え（フォールバック）の後、アクセスネットワーク機器は切り替え指示に基づいてＬＴＥネットワークからＮＲネットワークへと復帰することにより、端末機器でＮＲネットワークを最大限に利用することができ、ユーザエクスペリエンスを向上させる。
【０２０５】
従って、本願の実施例に係るネットワーク切り替え後の復帰方法において、端末機器に適用されるＲＡＴによる第１の無線アクセスネットワークから第２の無線アクセスネットワークへの切り替えの後、第１の機器はアクセスネットワーク機器に切り替え指示を送信することにより、アクセスネットワーク機器は第２の無線アクセスネットワークから第１の無線アクセスネットワークへと復帰することができ、これにより、端末機器で第１の無線アクセスネットワークを最大限に利用するように保証することができ、さらに、ユーザエクスペリエンスを向上させる。
【０２０６】
図７は、本願の実施例に基づく１つのネットワーク切り替え後の復帰方法６００の概略フローチャートである。図７に示すように、アクセスネットワーク機器は図１に示すようなアクセスネットワーク機器であってもよく、端末機器は図１に示すような端末機器であってもよく、第１の機器は図１に示すようなコアネットワーク機器であってもよい。当該方法６００は以下の内容を含む。
【０２０７】
６１０、端末機器に適用されるＲＡＴによる第１の無線アクセスネットワークから第２の無線アクセスネットワークへの切り替えの後、アクセスネットワーク機器は第１の機器から送信された切り替え指示を受信し、当該切り替え指示は、当該アクセスネットワーク機器が当該端末機器に適用されるＲＡＴによる当該第２の無線アクセスネットワークから当該第１の無線アクセスネットワークへの復帰をトリガーすることを指示するためのものであり、当該第１の無線アクセスネットワークと当該第２の無線アクセスネットワークは異なる通信プロトコルバージョンのネットワークである。
【０２０８】
一実施形態において、当該端末機器で音声サービスの実行が必要とされる場合、当該端末機器に適用されるＲＡＴによる当該第１の無線アクセスネットワークから当該第２の無線アクセスネットワークへの切り替えが発生する。
【０２０９】
一実施形態において、当該第１の無線アクセスネットワークはＮＲネットワークであり、当該第２の無線アクセスネットワークはＬＴＥネットワークである。
【０２１０】
一実施形態において、当該第１の機器はＡＭＦ機器又はＳＭＦ機器又はＳＭＦ＋ＰＧＷ−Ｃ機器であり、当該アクセスネットワーク機器はＥ−ＵＴＲＡＮ機器である。
【０２１１】
一実施形態において、端末機器では、音声サービスの実行が必要とされる場合、アクセスネットワーク機器は端末機器に適用されるＲＡＴによる第１の無線アクセスネットワークから第２の無線アクセスネットワークへの切り替えをトリガーする。
【０２１２】
一実施形態において、端末機器に適用されるＲＡＴによる第１の無線アクセスネットワークから第２の無線アクセスネットワークへの切り替えの後、及びアクセスネットワーク機器が第１の機器から送信された切り替え指示を受信する前、当該アクセスネットワーク機器は、当該端末機器に対する音声サービスを実行させるためのベアラ／ストリームを構築するようにトリガーする。
【０２１３】
例えば、構築するＱＣＩ＝１のベアラは端末機器での音声サービスの実行に用いられる。
【０２１４】
６２０、当該アクセスネットワーク機器は当該切り替え指示に基づき、当該端末機器に適用されるＲＡＴによる当該第２の無線アクセスネットワークから当該第１の無線アクセスネットワークへの復帰をトリガーする。
【０２１５】
一実施形態において、当該第１の機器はＡＭＦ機器又はＳＭＦ機器であり、当該アクセスネットワーク機器はＥ−ＵＴＲＡＮ機器である場合、当該アクセスネットワーク機器は当該切り替え指示に基づき、第１の切り替えモードでは、当該端末機器に適用されるＲＡＴによる当該第２の無線アクセスネットワークから当該第１の無線アクセスネットワークへの復帰をトリガーする。
そのうち、当該第１の切り替えモードでは、当該ＮＲネットワークに対する５ＧＣは変化しない。
【０２１６】
一実施形態において、当該第１の機器から送信された当該切り替えは内部（Ｉｎｔｒａ）ＲＡＴ切り替え（Ｈａｎｄ  Ｏｖｅｒ、ＨＯ）であると指示される場合、アクセスネットワーク機器は当該第１の切り替えモードを基にするネットワーク復帰をトリガーする。
【０２１７】
一実施形態において、Ｉｎｔｒａ  ＲＡＴ  ＨＯはＸｎインタフェースを基にするＨＯであってもよく、Ｎ２インタフェースを基にするＨＯであってもよい。
【０２１８】
理解すべきものとして、Ｘｎインタフェースは５Ｇ  無線アクセスネットワーク（Ｒａｄｉｏ  Ａｃｃｅｓｓ  Ｎｅｔｗｏｒｋ、ＲＡＮ）の間でのインタフェースであり、Ｎ２インタフェースはＲＡＮとＡＭＦ間でのシグナリングプレーンインタフェースである。
【０２１９】
一実施形態において、当該第１の機器はＳＭＦ＋ＰＧＷ−Ｃ機器であり、当該アクセスネットワーク機器はＥ−ＵＴＲＡＮ機器である場合、当該アクセスネットワーク機器は当該切り替え指示に基づき、第２の切り替えモードでは、当該端末機器に適用されるＲＡＴによる当該第２の無線アクセスネットワークから当該第１の無線アクセスネットワークへの復帰をトリガーする。
そのうち、当該第２の切り替えモードでは、当該ＬＴＥネットワークに対するＥＰＣから当該ＮＲネットワークに対する５ＧＣへの切り替え復帰が発生する。
【０２２０】
一実施形態において、当該第１の機器から送信された当該切り替え指示はＩｎｔｅｒ  ＥＰＳ／５ＧＳ  ＨＯである場合、アクセスネットワーク機器は当該第２の切り替えモードを基にするネットワーク復帰をトリガーし、そのうち、ＥＰＳはＥ−ＵＴＲＡＮとＥＰＣの総称であり、５ＧＳは５ＧＣと５Ｇ無線アクセスネットワークの総称である。
【０２２１】
一実施形態において、第１の無線アクセスネットワークが第２の無線アクセスネットワークより優れたネットワークであり、ユーザは第１の無線アクセスネットワークでよりよいエクスペリエンスを取得することができる。
【０２２２】
理解すべきものとして、ネットワーク切り替え後の復帰方法６００におけるステップは音声フォールバックを決定する方法２００又はネットワーク切り替え後の復帰方法５００における相応のステップの説明を参照することができ、簡潔のために、ここでは繰り返して説明しない。
【０２２３】
従って、本願の実施例に係るネットワーク切り替え後の復帰方法において、端末機器に適用されるＲＡＴによる第１の無線アクセスネットワークから第２の無線アクセスネットワークへの切り替えの後、第１の機器はアクセスネットワーク機器に切り替え指示を送信することにより、アクセスネットワーク機器は第２の無線アクセスネットワークから第１の無線アクセスネットワークへと復帰することができ、これにより、端末機器で第１の無線アクセスネットワークを最大限に利用するように保証することができ、さらに、ユーザエクスペリエンスを向上させる。
【０２２４】
図８は、本願の実施例に基づく１つのネットワーク切り替え後の復帰方法７００の概略フローチャートである。図８に示すように、アクセスネットワーク機器は図１に示すようなアクセスネットワーク機器であってもよく、端末機器は図１に示すような端末機器であってもよく、第１の機器は図１に示すようなコアネットワーク機器であってもよい。当該方法７００は以下の内容を含む。
【０２２５】
７１０、端末機器に適用されるＲＡＴによる第１の無線アクセスネットワークから第２の無線アクセスネットワークへの切り替え、及び、当該端末機器による当該第２の無線アクセスネットワークでの音声サービスが完了された後、第１の機器は、アクセスネットワーク機器に音声サービスベアラを削除する指示情報を送信し、当該指示情報は当該アクセスネットワーク機器の現在のベアラが音声サービスに用いられることを指示し、当該第１の無線アクセスネットワークと当該第２の無線アクセスネットワークは異なる通信プロトコルバージョンのネットワークである。
【０２２６】
一実施形態において、端末機器では、音声サービスの実行が必要とされる場合、ＲＡＴによる第１の無線アクセスネットワークから第２の無線アクセスネットワークへの切り替えが発生する。
【０２２７】
一実施形態において、端末機器に適用されるＲＡＴによる第１の無線アクセスネットワークから第２の無線アクセスネットワークへの切り替えの後、当該第１の機器は、アクセスネットワーク機器が当該端末機器に対する音声サービスを実行させるためのベアラ／ストリームを構築するようにトリガーすることができる。
【０２２８】
一実施形態において、当該アクセスネットワーク機器は当該指示情報に基づき、当該現在のベアラを削除する。
【０２２９】
一実施形態において、当該アクセスネットワーク機器は当該指示情報に基づいて当該現在のベアラを削除した後、当該端末機器に適用されるＲＡＴによる当該第２の無線アクセスネットワークから当該第１の無線アクセスネットワークへの復帰をトリガーすることができる。
【０２３０】
一実施形態において、当該第１の無線アクセスネットワークはＮＲネットワークであり、当該第２の無線アクセスネットワークはＬＴＥネットワークである。
【０２３１】
一実施形態において、当該第１の機器はＡＭＦ機器又はＳＭＦ機器又はＳＭＦ＋ＰＧＷ−Ｃ機器であり、当該アクセスネットワーク機器はＥ−ＵＴＲＡＮ機器である。
【０２３２】
一実施形態において、当該第１の機器はアクセスネットワーク機器に指示情報を送信するステップは、
当該ＡＭＦ機器又は当該ＳＭＦ機器又は当該ＳＭＦ＋ＰＧＷ−Ｃ機器は当該Ｅ−ＵＴＲＡＮ機器に当該指示情報を送信するステップを含む。
【０２３３】
理解すべきものとして、ネットワーク切り替え後の復帰方法７００におけるステップは音声フォールバックを決定する方法２００、又はネットワーク切り替え後の復帰方法５００、又はネットワーク切り替え後の復帰方法６００での相応のステップの説明を参照することができ、簡潔のために、ここでは繰り返して説明しない。
【０２３４】
従って、本願の実施例に係るネットワーク切り替え後の復帰方法において、端末機器に適用されるＲＡＴによる第１の無線アクセスネットワークから第２の無線アクセスネットワークへの切り替え、及び、端末機器による第２の無線アクセスネットワークでの音声サービスが完了された後、第１の機器は、アクセスネットワーク機器に音声サービスベアラを削除する指示情報を送信することにより、アクセスネットワーク機器が指示情報に基づいて現在のベアラを削除した後、端末機器に適用されるＲＡＴによる第２の無線アクセスネットワークから第１の無線アクセスネットワークへの復帰をトリガーするように決定し、これにより、端末機器で第１の無線アクセスネットワークを最大限に利用するように保証することができ、さらに、ユーザエクスペリエンスを向上させる。
【０２３５】
図９は、本願の実施例に基づく１つのネットワーク切り替え後の復帰方法８００の概略フローチャートである。図９に示すように、アクセスネットワーク機器は図１に示すようなアクセスネットワーク機器であってもよく、端末機器は図１に示すような端末機器であってもよく、第１の機器は図１に示すようなコアネットワーク機器であってもよい。当該方法８００は以下の内容を含む。
【０２３６】
８１０、端末機器に適用されるＲＡＴによる第１の無線アクセスネットワークから第２の無線アクセスネットワークへの切り替え、及び、当該端末機器による当該第２の無線アクセスネットワークでの音声サービスが完了された後、アクセスネットワーク機器は第１の機器から送信された音声サービスベアラを削除する指示情報を受信し、当該指示情報は当該アクセスネットワーク機器の現在のベアラが音声サービスに用いられることを指示し、当該第１の無線アクセスネットワークと当該第２の無線アクセスネットワークは異なる通信プロトコルバージョンのネットワークである。
【０２３７】
一実施形態において、当該第１の無線アクセスネットワークはＮＲネットワークであり、当該第２の無線アクセスネットワークはＬＴＥネットワークである。
【０２３８】
一実施形態において、当該第１の機器はＡＭＦ機器又はＳＭＦ機器又はＳＭＦ＋ＰＧＷ−Ｃ機器であり、当該アクセスネットワーク機器はＥ−ＵＴＲＡＮ機器である。
【０２３９】
一実施形態において、当該Ｅ−ＵＴＲＡＮ機器は当該ＡＭＦ機器又は当該ＳＭＦ機器又は当該ＳＭＦ＋ＰＧＷ−Ｃ機器から送信された当該指示情報を受信する。
【０２４０】
８２０、当該指示情報に基づいて当該現在のベアラを削除した後、当該アクセスネットワーク機器は当該端末機器に適用されるＲＡＴによる当該第２の無線アクセスネットワークから当該第１の無線アクセスネットワークへの復帰をトリガーする。
【０２４１】
一実施形態において、当該アクセスネットワーク機器は現在、当該ＮＲネットワークの５ＧＣに接続している場合、第１の切り替えモードでは、当該アクセスネットワーク機器は当該端末機器に適用されるＲＡＴによる当該第２の無線アクセスネットワークから当該第１の無線アクセスネットワークへの復帰をトリガーする。
そのうち、当該第１の切り替えモードでは、当該ＮＲネットワークに対する５ＧＣは変化しない。
【０２４２】
一実施形態において、当該アクセスネットワーク機器は現在、当該ＬＴＥネットワークのＥＰＣに接続している場合、第２の切り替えモードでは、当該アクセスネットワーク機器は当該端末機器に適用されるＲＡＴによる当該第２の無線アクセスネットワークから当該第１の無線アクセスネットワークへの切り替え復帰をトリガーする。
そのうち、当該第２の切り替えモードでは、当該ＬＴＥネットワークに対するＥＰＣから当該ＮＲネットワークに対する５ＧＣへの切り替え復帰が発生する。
【０２４３】
理解すべきものとして、ネットワーク切り替え後の復帰方法８００におけるステップはネットワーク切り替え後の復帰方法７００での相応のステップの説明を参照することができ、簡潔のために、ここでは繰り返して説明しない。
【０２４４】
従って、本願の実施例に係るネットワーク切り替え後の復帰方法において、端末機器に適用されるＲＡＴによる第１の無線アクセスネットワークから第２の無線アクセスネットワークへの切り替え、及び、端末機器による第２の無線アクセスネットワークでの音声サービスが完了された後、第１の機器は、アクセスネットワーク機器に音声サービスベアラを削除する指示情報を送信することにより、アクセスネットワーク機器が指示情報に基づいて現在のベアラを削除した後、端末機器に適用されるＲＡＴによる第２の無線アクセスネットワークから第１の無線アクセスネットワークへの復帰をトリガーするように決定し、これにより、端末機器で第１の無線アクセスネットワークを最大限に利用するように保証することができ、さらに、ユーザエクスペリエンスを向上させる。
【０２４５】
図１０は、本願の実施例に基づくネットワーク切り替えの目的を指示する方法９００の概略フローチャートである。図１０に示すように、アクセスネットワーク機器は図１に示すようなアクセスネットワーク機器であってもよく、端末機器は図１に示すような端末機器であってもよく、第１の機器は図１に示すようなコアネットワーク機器であってもよい。当該方法９００は以下の内容を含む。
【０２４６】
９１０、端末機器に適用されるＲＡＴによる第１の無線アクセスネットワークから第２の無線アクセスネットワークへの切り替えの過程には、第１の機器はフォールバック識別子を取得し、当該フォールバック識別子は当該端末機器に適用されるＲＡＴによる当該第１の無線アクセスネットワークから当該第２の無線アクセスネットワークへの切り替えの目的を指示し、当該第１の無線アクセスネットワークと当該第２の無線アクセスネットワークは異なる通信プロトコルバージョンのネットワークである。
【０２４７】
一実施形態において、当該フォールバック識別子はフォールバック目的を指示するいくつかのパラメータ情報であってもよい。
【０２４８】
一実施形態において、当該フォールバック識別子は、当該端末機器に適用されるＲＡＴによる当該第１の無線アクセスネットワークから当該第２の無線アクセスネットワークへの切り替えの目的が、当該端末機器のために、当該第２の無線アクセスネットワークでの音声サービスを構築することにあたることを指示する。
【０２４９】
一実施形態において、当該フォールバック識別子はさらに、当該端末機器に適用されるＲＡＴによる当該第１の無線アクセスネットワークから当該第２の無線アクセスネットワークへの切り替えの目的が、音声サービス以外の他のサービス、例えば、ビデオサービスの実行にあたることを指示することができる。
【０２５０】
一実施形態において、当該第１の機器はＡＭＦ機器であってもよく、ＳＭＦ機器であってもよく、さらに、ＳＭＦ＋ＰＧＷ−Ｃ機器であってもよい。
【０２５１】
一実施形態において、当該第１の機器は、当該フォールバック識別子を取得した後、当該フォールバック識別子に基づき、アクセスネットワーク機器が当該端末機器に適用されるＲＡＴによる当該第２の無線アクセスネットワークから当該第１の無線アクセスネットワークへの復帰というタスクを実行させるようにトリガーする。
【０２５２】
一実施形態において、当該第１の無線アクセスネットワークはＮＲネットワークであり、当該第２の無線アクセスネットワークはＬＴＥネットワークである。
【０２５３】
一実施形態において、当該端末機器に適用されるＲＡＴによる当該第１の無線アクセスネットワークから当該第２の無線アクセスネットワークへの切り替えは以下３種類の切り替えモードによって行われることができる。
第１の切り替えモードでは、当該端末機器に適用されるＲＡＴによる当該第１の無線アクセスネットワークから当該第２の無線アクセスネットワークへの切り替えが発生し、そのうち、当該第１の切り替えモードでは、当該ＮＲネットワークに対する５ＧＣは変化せず、さらに、５ＧＣでのＡＭＦも変化せず、当該ＮＲネットワークにサービスを提供する５ＧＣは当該ＬＴＥネットワークにもサービスを提供する。
第２の切り替えモードでは、当該端末機器に適用されるＲＡＴによる当該第１の無線アクセスネットワークから当該第２の無線アクセスネットワークへの切り替えが発生し、そのうち、当該第２の切り替えモードでは、当該ＮＲネットワークに対する５ＧＣは変化せず、さらに、５ＧＣでのＡＭＦのソースＡＭＦからターゲットＡＭＦへの切り替えが発生し、当該ＮＲネットワークにサービスを提供する５ＧＣは当該ＬＴＥネットワークにもサービスを提供する。
第３の切り替えモードでは、当該端末機器に適用されるＲＡＴによる当該第１の無線アクセスネットワークから当該第２の無線アクセスネットワークへの切り替えが発生し、そのうち、当該第３の切り替えモードでは、当該ＮＲネットワークに対する５ＧＣから当該ＬＴＥネットワークに対するＥＰＣへの切り替えが発生する。
【０２５４】
一実施形態において、当該第１の切り替えモードでの切り替えはＸｎインタフェースを基にするＨＯであってもよい。
【０２５５】
一実施形態において、当該第１の切り替えモードを基にしてネットワーク切り替えを行う場合、当該第１の機器はＡＭＦ機器である。一実施形態において、アクセスネットワーク機器は当該第１の切り替えモードでの切り替えをトリガーする。
【０２５６】
一実施形態において、当該端末機器に適用されるＲＡＴによる当該第１の無線アクセスネットワークから当該第２の無線アクセスネットワークへの切り替えは第１の切り替えモードによって行われる場合、当該ＡＭＦ機器はアクセスネットワーク機器から当該フォールバック識別子を受信する。一実施形態において、当該ＡＭＦ機器は当該アクセスネットワーク機器から当該フォールバック識別子を受信した後、当該ＡＭＦ機器はＳＭＦ機器に当該フォールバック識別子を送信する。
【０２５７】
一実施形態において、当該端末機器に適用されるＲＡＴによる当該第１の無線アクセスネットワークから当該第２の無線アクセスネットワークへの切り替えは第１の切り替えモードによって行われる場合、当該ＡＭＦ機器と当該ＳＭＦ機器に当該フォールバック識別子が記憶されている。
【０２５８】
一実施形態において、当該第２の切り替えモードでの切り替えはＮ２インタフェースを基にするＨＯであってもよい。
【０２５９】
一実施形態において、当該第２の切り替えモードを基にしてネットワーク切り替えを行う場合、当該第１の機器はＳＭＦ機器である。一実施形態において、アクセスネットワーク機器は当該第２の切り替えモードでの切り替えをトリガーする。
【０２６０】
一実施形態において、当該端末機器に適用されるＲＡＴによる当該第１の無線アクセスネットワークから当該第２の無線アクセスネットワークへの切り替えは第２の切り替えモードによって行われる場合、当該ＳＭＦ機器はアクセスネットワーク機器から当該フォールバック識別子を受信する。
【０２６１】
具体的に、当該ＳＭＦ機器は、当該ターゲットＡＭＦ機器が当該ソースＡＭＦ機器から転送された当該フォールバック識別子を受信し、当該ソースＡＭＦ機器は当該アクセスネットワーク機器から当該フォールバック識別子を取得する。
【０２６２】
一実施形態において、当該端末機器に適用されるＲＡＴによる当該第１の無線アクセスネットワークから当該第２の無線アクセスネットワークへの切り替えは第２の切り替えモードによって行われる場合、ソースＡＭＦ機器、ターゲットＡＭＦ機器、及びＳＭＦ機器に当該フォールバック識別子が記憶されている。
【０２６３】
一実施形態において、当該第２の切り替えモードを基にしてネットワーク切り替えを行う場合、当該第１の機器はターゲットアクセスネットワーク機器である。当該端末機器に適用されるＲＡＴによる当該第１の無線アクセスネットワークから当該第２の無線アクセスネットワークへの切り替えは第２の切り替えモードによって行われる場合、当該ターゲットアクセスネットワーク機器はソースアクセスネットワーク機器から当該フォールバック識別子を受信する。
【０２６４】
一実施形態において、当該第３の切り替えモードを基にしてネットワーク切り替えを行う場合、当該第１の機器はＳＭＦ＋ＰＧＷ−Ｃ機器である。一実施形態において、アクセスネットワーク機器は当該第３の切り替えモードでの切り替えをトリガーする。
【０２６５】
一実施形態において、当該端末機器に適用されるＲＡＴによる当該第１の無線アクセスネットワークから当該第２の無線アクセスネットワークへの切り替えは第３の切り替えモードによって行われる場合、当該ＳＭＦ＋ＰＧＷ−Ｃ機器はアクセスネットワーク機器から当該フォールバック識別子を受信する。
【０２６６】
具体的に、当該ＳＭＦ＋ＰＧＷ−Ｃ機器は、ＡＭＦ機器が当該アクセスネットワーク機器から転送された当該フォールバック識別子を受信する。
【０２６７】
一実施形態において、当該端末機器に適用されるＲＡＴによる当該第１の無線アクセスネットワークから当該第２の無線アクセスネットワークへの切り替えは第３の切り替えモードによって行われる場合、ＡＭＦ機器とＳＭＦ＋ＰＧＷ−Ｃ機器に当該フォールバック識別子が記憶されている。
【０２６８】
理解すべきものとして、ネットワーク切り替えの目的を指示する方法９００におけるステップは音声フォールバックを決定する方法２００、又はネットワーク切り替え後の復帰方法５００での相応のステップの説明を参照することができ、簡潔のために、ここでは繰り返して説明しない。
【０２６９】
従って、本願の実施例に係るネットワーク切り替えの目的を指示する方法において、第１の機器は、端末機器に適用されるＲＡＴによる第１の無線アクセスネットワークから第２の無線アクセスネットワークへの切り替えの過程に取得したフォールバック識別子に基づき、第２の無線アクセスネットワークから第１の無線アクセスネットワークへの復帰をトリガーし、これにより、端末機器で第１の無線アクセスネットワークを最大限に利用するように保証することができ、さらに、ユーザエクスペリエンスを向上させる。
【０２７０】
図１１は、本願の実施例に基づく音声サービスの判定方法１０００の概略フローチャートである。図１１に示すように、アクセスネットワーク機器は図１に示すようなアクセスネットワーク機器であってもよく、端末機器は図１に示すような端末機器であってもよい。当該方法１０００は以下の内容を含む。
【０２７１】
１０１０、第１の情報を取得し、当該第１の情報は端末機器に対する第１のベアラ／ストリームの構築が成功しなかったこと指示するためのものであり、当該第１のベアラ／ストリームは第１の無線アクセスネットワークでの音声サービスを実行させるためのものである。
【０２７２】
１０２０、当該端末機器に適用されるＲＡＴによる当該第１の無線アクセスネットワークから第２の無線アクセスネットワークへの切り替えの後、当該端末機器に対する第２のベアラ／ストリームを構築し、当該第１の無線アクセスネットワークと当該第２の無線アクセスネットワークは異なる通信プロトコルバージョンのネットワークである。
【０２７３】
一実施形態において、該端末機器に適用されるＲＡＴによる当該第１の無線アクセスネットワークから当該第２の無線アクセスネットワークへの切り替えの目的は当該第２のベアラ／ストリームを構築することにあたる。
【０２７４】
一実施形態において、当該第１の無線アクセスネットワークはＮＲネットワークであり、当該第２の無線アクセスネットワークはＬＴＥネットワークである。
【０２７５】
一実施形態において、第１の切り替えモードでは、当該端末機器に適用されるＲＡＴによる当該第１の無線アクセスネットワークから当該第２の無線アクセスネットワークへの切り替えが発生し、そのうち、当該第１の切り替えモードでは、当該第１の無線アクセスネットワークに対するコアネットワークは変化せず、さらに、コアネットワークの内部ネットワーク要素も変化せず、当該第１の無線アクセスネットワークにサービスを提供するコアネットワークは当該第２の無線アクセスネットワークにもサービスを提供する。
【０２７６】
一実施形態において、当該第１の無線アクセスネットワークはＮＲネットワークであり、当該第２の無線アクセスネットワークはＬＴＥネットワークであり、当該第１の切り替えモードでは、当該ＮＲネットワークに対する５ＧＣは変化せず、さらに、５ＧＣでのＡＭＦも変化せず、当該ＮＲネットワークにサービスを提供する５ＧＣは当該ＬＴＥネットワークにもサービスを提供する。
【０２７７】
一実施形態において、第２の切り替えモードでは、当該端末機器に適用されるＲＡＴによる当該第１の無線アクセスネットワークから当該第２の無線アクセスネットワークへの切り替えが発生し、そのうち、当該第２の切り替えモードでは、当該第１の無線アクセスネットワークに対するコアネットワークは変化せず、さらに、コアネットワークの内部ネットワーク要素は変化し、当該第１の無線アクセスネットワークにサービスを提供するコアネットワークは当該第２の無線アクセスネットワークにもサービスを提供する。
【０２７８】
一実施形態において、当該第１の無線アクセスネットワークはＮＲネットワークであり、当該第２の無線アクセスネットワークはＬＴＥネットワークであり、当該第２の切り替えモードでは、当該ＮＲネットワークに対する５ＧＣは変化せず、さらに、５ＧＣでのＡＭＦのソースＡＭＦからターゲットＡＭＦへの切り替えが発生し、当該ＮＲネットワークにサービスを提供する５ＧＣは当該ＬＴＥネットワークにもサービスを提供する。
【０２７９】
一実施形態において、第１の切り替えモード又は第２の切り替えモードを基にしてネットワーク切り替えを行う場合、当該第１のベアラ／ストリームは５ＱＩ＝１ストリームであり、当該第２のベアラ／ストリームも５ＱＩ＝１ストリームである。
【０２８０】
一実施形態において、第３の切り替えモードでは、当該端末機器に適用されるＲＡＴによる当該第１の無線アクセスネットワークから当該第２の無線アクセスネットワークへの切り替えが発生し、そのうち、当該第３の切り替えモードでは、当該第１の無線アクセスネットワークに対するコアネットワークから当該第２の無線アクセスネットワークに対するコアネットワークへの切り替えが発生する。
【０２８１】
一実施形態において、当該第１の無線アクセスネットワークはＮＲネットワークであり、当該第２の無線アクセスネットワークはＬＴＥネットワークであり、当該第３の切り替えモードでは、当該ＮＲネットワークに対する５ＧＣから当該ＬＴＥネットワークに対するＥＰＣへの切り替えが発生する。
【０２８２】
一実施形態において、第３の切り替えモードを基にしてネットワーク切り替えを行う場合、当該第１のベアラ／ストリームは５ＱＩ＝１ストリームであり、当該第２のベアラ／ストリームはＱＣＩ＝１ベアラである。
【０２８３】
１０３０、当該第２のベアラ／ストリームは当該第２の無線アクセスネットワークでの音声サービスを実行させるためのものである。
【０２８４】
一実施形態において、当該第２のベアラ／ストリームを解放した後、当該端末機器に適用されるＲＡＴによる当該第２の無線アクセスネットワークから当該第１の無線アクセスネットワークへの復帰をトリガーすることができる。
【０２８５】
理解すべきものとして、音声サービスの判定方法１０００におけるステップは音声フォールバックを決定する方法２００、又はネットワーク切り替え後の復帰方法５００での相応のステップの説明を参照することができ、簡潔のために、ここでは繰り返して説明しない。
【０２８６】
従って、本願の実施例に係る音声サービスの判定方法において、端末機器に対する第１のベアラ／ストリームの構築が成功しなかったことを指示するための第１の情報の受信、及び、端末機器に適用されるＲＡＴによる第１の無線アクセスネットワークから第２の無線アクセスネットワークへの切り替えの後、構築された第２のベアラ／ストリームは第２の無線アクセスネットワークでの音声サービスを実行させるためのものであると決定し、これにより、構築されたベアラ／ストリームは音声サービスの実行用のベアラ／ストリームであるかどうかを正確に判定することができる。
【０２８７】
１つの実施例として、図１２に示すように、端末機器に適用されるＲＡＴによるＸｎインタフェースを基にする切り替え（ＮＲネットワークに対する５ＧＣは変化せず、さらに、５ＧＣでのＡＭＦも変化せず、ＮＲネットワークにサービスを提供する５ＧＣはＬＴＥネットワークにもサービスを提供する）はＮＲネットワークからＬＴＥネットワークへの切り替えであり、Ｘｎインタフェースを基にする切り替えの過程には、端末機器のソースＮＧ  ＲＡＮからターゲットＮＧ  ＲＡＮへの切り替えが発生する。
【０２８８】
１１１０、ターゲットＮＧ  ＲＡＮはＡＭＦにＮ２パス切り替え要求を送信する。
【０２８９】
一実施形態において、ステップ１１１０の前、端末機器（ＵＥ）、ソースＮＧ  ＲＡＮ、及びターゲットＮＧ  ＲＡＮはすでに切り替え準備と切り替え実行を完了させ、切り替え実行の時、ソースＮＧ  ＲＡＮはターゲットＮＧ  ＲＡＮにデータを転送する。
【０２９０】
理解すべきものとして、Ｎ２インタフェースはＲＡＮとＡＭＦ間でのインタフェースである。
【０２９１】
１１２０、ＡＭＦはソースＳＭＦにパケットデータユニット（Ｐａｃｋｅｔ  Ｄａｔａ  Ｕｎｉｔ、ＰＤＵ）セッションでのサービスメッセージ（Ｓｅｒｖｉｃｅ  Ｍｅｓｓａｇｅ、ＳＭ）のコンテキスト情報を更新する要求情報を送信する。
【０２９２】
１１３０、ソースＳＭＦはソースＵＰＦにＮ４セッション変更要求を送信する。
【０２９３】
理解すべきものとして、Ｎ４インタフェースはＳＭＦとＵＰＦ間でのインタフェースである。
【０２９４】
１１４０、ソースＵＰＦはソースＳＭＦにＮ４セッション変更応答を送信する。
【０２９５】
１１５０、ソースＵＰＦはソースＮＧ  ＲＡＮにＮ３終了識別子を送信する。
【０２９６】
理解すべきものとして、Ｎ３インタフェースはＲＡＮとＵＰＦ間でのユーザプレーンインタフェースである。
【０２９７】
一実施形態において、ソースＮＧ  ＲＡＮはターゲットＮＧ  ＲＡＮに当該Ｎ３終了識別子を転送する。
【０２９８】
一実施形態において、ソースＵＰＦはいくつかの未完成のダウンリンクデータ送信タスクを端末機器に送信することができる。
【０２９９】
１１６０、ソースＳＭＦはＡＭＦにＰＤＵセッションでのＳＭコンテキスト情報を更新する応答情報を送信する。
【０３００】
１１７０、ＡＭＦはターゲットＮＧ  ＲＡＮにＮ２パス切り替え成功応答を送信する。
【０３０１】
１１８０、ターゲットＮＧ  ＲＡＮはソースＮＧ  ＲＡＮにリソースを解放する情報を送信する。
【０３０２】
一実施形態において、この時、ソースＮＧ  ＲＡＮは当該端末機器に対するリソースを解放することができる。一実施形態において、この時、当該端末機器でのターゲットＮＧ  ＲＡＮへの切り替えはすでに成功した。
【０３０３】
本願の実施例における端末機器に適用されるＲＡＴによるＮＲネットワークからＬＴＥネットワークへの切り替えをトリガーする切り替え過程は上記図１２に示すような切り替え過程を基にして行われることができる。
【０３０４】
本願の実施例における端末機器に適用されるＲＡＴによるＬＴＥネットワークからＮＲネットワークへの復帰をトリガーする過程は上記図１２に示すような切り替え過程の逆過程を基にして行われることができる。
【０３０５】
１つの実施例として、図１３に示すように、端末機器に適用されるＲＡＴによるＮ２インタフェースを基にする切り替え（ＮＲネットワークに対する５ＧＣは変化せず、さらに、５ＧＣでのＡＭＦのソースＡＭＦからターゲットＡＭＦへの切り替えは完了され、ＮＲネットワークにサービスを提供する５ＧＣはＬＴＥネットワークにもサービスを提供する）はＮＲネットワークからＬＴＥネットワークへの切り替えであり、Ｎ２インタフェースを基にする切り替え過程には、端末機器でのソースのＮＧ  ＲＡＮからターゲットＮＧ  ＲＡＮへの切り替えが発生する。
【０３０６】
１２０１、ソースＮＧ  ＲＡＮはソースＡＭＦに切り替え要求を送信する。
【０３０７】
一実施形態において、ステップ１２０１を行う前、ソースＮＧ  ＲＡＮはＮ２シグナリングによって再配置をトリガーすると決定することができる。
【０３０８】
一実施形態において、ステップ１２０１を行う前、端末機器はソースＮＧ  ＲＡＮを介してソースＵＰＦとアップリンク／ダウンリンクでのユーザプレーンデータのインタラクションをすることができる。
【０３０９】
１２０２、ソースＡＭＦはターゲットＡＭＦに追加の再配置要求を送信する。
【０３１０】
１２０３、ターゲットＡＭＦはＳＭＦにＰＤＵ切り替え要求を送信する。
【０３１１】
１２０４、ＳＭＦはＵＰＦ選択を実行させる。
【０３１２】
一実施形態において、ＳＭＦはターゲットＵＰＦを決定することができる。
【０３１３】
１２０５ａ、ＳＭＦはターゲットＵＰＦにＮ４セッション構築要求を送信する。
【０３１４】
１２０５ｂ、ターゲットＵＰＦはＳＭＦにＮ４セッション構築応答を送信する。
【０３１５】
１２０５ｃ、ＳＭＦはソースＵＰＦにＮ４セッション構築要求を送信する。
【０３１６】
１２０５ｄ、ソースＵＰＦはＳＭＦにＮ４セッション構築応答を送信する。
【０３１７】
１２０６、ＳＭＦはターゲットＡＭＦにＰＤＵ切り替え応答を送信する。
【０３１８】
１２０７、ターゲットＡＭＦはＵＰＦ切り替え応答をモニターする。
【０３１９】
１２０８、ターゲットＡＭＦはターゲットＮＧ  ＲＡＮに切り替え要求を送信する。
【０３２０】
１２０９、ターゲットＮＧ  ＲＡＮはターゲットＡＭＦに切り替え要求応答を送信する。
【０３２１】
１２１０、ターゲットＡＭＦはＳＭＦにＰＤＵ切り替えの取り消しを送信する。
【０３２２】
１２１１ａ、ターゲットＡＭＦはＳＭＦにＰＤＵ修正要求を送信する。
【０３２３】
１２１１ｂ、ＳＭＦはターゲットＵＰＦにＮ４セッション修正要求を送信する。
【０３２４】
１２１１ｃ、ターゲットＵＰＦはＳＭＦにＮ４セッション修正応答を送信する。
【０３２５】
１２１１ｄ、ＳＭＦはソースＵＰＦにＮ４セッション修正要求を送信する。
【０３２６】
１２１１ｅ、ソースＵＰＦはＳＭＦにＮ４セッション修正応答を送信する。
【０３２７】
１２１１ｆ、ＳＭＦはターゲットＡＭＦにＰＤＵ修正応答を送信する。
【０３２８】
１２１２、ターゲットＡＭＦはソースＡＭＦに追加の再配置応答を送信する。
【０３２９】
一実施形態において、この時、ソースＡＭＦは当該端末機器に対する関連情報を解放することができる。
【０３３０】
一実施形態において、この時、端末機器はソースＡＭＦからターゲットＡＭＦへの切り替えを成功するとともに、ソースＮＧ  ＲＡＮからターゲットＮＧ  ＲＡＮへの切り替えを成功する。
【０３３１】
本願の実施例における端末機器に適用されるＲＡＴによるＮＲネットワークからＬＴＥネットワークへの切り替えをトリガーする切り替え過程は上記図１３に示すような切り替え過程を基にして行われることができる。
【０３３２】
本願の実施例における端末機器に適用されるＲＡＴによるＬＴＥネットワークからＮＲネットワークへの復帰をトリガーする過程は上記図１３に示すような切り替え過程の逆過程を基にして行われることができる。
【０３３３】
１つの実施例として、図１４に示すように、端末機器に適用されるＲＡＴによるｉｎｔｅｒ  ５ＧＣ／ＥＰＣを基にする切り替え（当該ＮＲネットワークに対する５ＧＣから当該ＬＴＥネットワークに対するＥＰＣへの切り替えが発生する）はＮＲネットワークからＬＴＥネットワークへの切り替えであり、ｉｎｔｅｒ  ５ＧＣ／ＥＰＣを基にする切り替え過程には、端末機器でのＮＧ  ＲＡＮからＥ−ＵＴＲＡＮへの切り替えが発生する。
【０３３４】
１３０１、ＮＧ  ＲＡＮはＡＭＦに切り替え要求を送信する。
【０３３５】
１３０２ａ、ＡＭＦはＰＧＷ−Ｃ＋ＳＭＦにＳＭコンテキスト要求を送信する。
【０３３６】
１３０２ｂ、ＰＧＷ−Ｃ＋ＳＭＦはＡＭＦにＳＭコンテキスト応答を送信する。
【０３３７】
１３０３、ＡＭＦはＭＭＥに再配置要求を送信する。
【０３３８】
１３０４、ＭＭＥはＳＧＷにセッション構築要求を送信する。
【０３３９】
１３０５、ＳＧＷはＭＭＥにセッション構築応答を送信する。
【０３４０】
１３０６、ＭＭＥはＥ−ＵＴＲＡＮに切り替え要求を送信する。
【０３４１】
１３０７、Ｅ−ＵＴＲＡＮはＭＭＥに切り替え要求応答を送信する。
【０３４２】
１３０８、ＭＭＥとＳＧＷの間に間接データ転送チャネル要求／応答を構築する。
【０３４３】
１３０９、ＡＭＦはＭＭＥに再配置応答を送信する。
【０３４４】
１３１０ａ、ＡＭＦとＰＧＷ−Ｃ＋ＳＭＦの間に間接データ転送チャネル要求／応答を構築する。
【０３４５】
１３１０ｂ、ＰＧＷ−Ｃ＋ＳＭＦとユーザプレーンゲートウェイ＋ユーザプレーン機能（Ｕｓｅｒ  Ｐａｃｋｅｔ  Ｇａｔｅｗａｙ＋Ｕｓｅｒ  Ｐｌａｎｅ  Ｆｕｎｃｔｉｏｎ、ＰＧＷーＵ＋ＵＰＦ）の間にＮ４セッション修正を行う。
【０３４６】
理解すべきものとして、ＰＧＷーＵ＋ＵＰＦはユーザプレーンゲートウェイとユーザプレーン機能の作用を同時に実装することができる。
【０３４７】
１３１１ａ、ＡＭＦはＮＧ  ＲＡＮに切り替え命令を送信する。
【０３４８】
１３１１ｂ、ＮＧ  ＲＡＮはＵＥに切り替え命令を送信する。
【０３４９】
１３１２ａ、ＵＥはＥ−ＵＴＲＡＮに切り替え完了を送信する。
【０３５０】
１３１２ｂ、Ｅ−ＵＴＲＡＮはＭＭＥに切り替え通知を送信する。
【０３５１】
一実施形態において、この時、ＵＥはＰＧＷーＵ＋ＵＰＦにアップリンクデータを送信することができる。
【０３５２】
１３１３、ＭＭＥはＳＧＷにベアラ修正要求を送信する。
【０３５３】
１３１４ａ、ＳＧＷはＰＧＷ−Ｃ＋ＳＭＦにベアラ修正要求を送信する。
【０３５４】
１３１４ｂ、ＰＧＷ−Ｃ＋ＳＭＦとＰＧＷーＵ＋ＵＰＦの間にセッション修正を行う。
【０３５５】
１３１５、ＰＧＷ−Ｃ＋ＳＭＦはＳＧＷにベアラ修正応答を送信する。
【０３５６】
一実施形態において、この時、ＰＧＷーＵ＋ＵＰＦはＵＥにダウンリンクデータを送信することができる。
【０３５７】
１３１６、ＳＧＷはＭＭＥにベアラ修正応答を送信する。
【０３５８】
１３１７、ＰＧＷ−Ｃ＋ＳＭＦはＥ−ＵＴＲＡＮ、ＭＭＥ、及びＳＧＷに専用ベアラの活性化を開始させる。
【０３５９】
一実施形態において、この時、ＮＲネットワークに対する５ＧＣからＬＴＥネットワークに対するＥＰＣへの切り替えが発生する。
【０３６０】
本願の実施例における端末機器に適用されるＲＡＴによるＮＲネットワークからＬＴＥネットワークへの切り替えをトリガーする切り替え過程は上記図１４に示すような切り替え過程を基にして行われることができる。
【０３６１】
本願の実施例における端末機器に適用されるＲＡＴによるＬＴＥネットワークからＮＲネットワークへの復帰をトリガーする過程は上記図１４に示すような切り替え過程の逆過程を基にして行われることができる。
【０３６２】
図１５は、本願の実施例に基づくコアネットワーク機器１４００の概略ブロック図である。図１５に示すように、当該コアネットワーク機器１４００は、
端末機器に適用される無線アクセス技術ＲＡＴによる第１の無線アクセスネットワークから第２の無線アクセスネットワークへの切り替えの過程には、当該端末機器がアクセスしようとする当該第２の無線アクセスネットワーク下のターゲットアクセスネットワーク機器識別子を取得するための処理ユニット１４１０を含み、当該第１の無線アクセスネットワークと当該第２の無線アクセスネットワークは異なる通信プロトコルバージョンのネットワークであり、当該第１の無線アクセスネットワークのカバレッジエリアと当該第２の無線アクセスネットワークのカバレッジエリアの間に重複エリアがある。
【０３６３】
当該処理ユニット１４１０はさらに、第１のセットに当該ターゲットアクセスネットワーク機器識別子がある場合、当該端末機器に適用されるＲＡＴによる当該第１の無線アクセスネットワークから当該第２の無線アクセスネットワークへの切り替えの目的が音声サービスの実行にあたると決定するためのものであり、当該第１のセットには当該重複エリア内にある当該第２の無線アクセスネットワークでの全てのアクセスネットワーク機器識別子が含まれる。
【０３６４】
一実施形態において、当該処理ユニット１４１０はさらに、第２の無線アクセスネットワークへと一斉に切り替える必要のある音声サービス進行中のストリーム／ベアラがあると決定するためのものであり、
当該第１のセットに当該ターゲットアクセスネットワーク機器識別子があり、さらに、当該処理ユニット１４１０は第２の無線アクセスネットワークへと一斉に切り替える必要のある音声サービス進行中のストリーム／ベアラがあると決定する場合、当該処理ユニット１４１０は当該端末機器に適用されるＲＡＴによる当該第１の無線アクセスネットワークから当該第２の無線アクセスネットワークへの切り替えの目的が音声サービスの実行にあたると決定する。
【０３６５】
一実施形態において、当該第１のセットはプリセットされたものである。
【０３６６】
一実施形態において、当該第１の無線アクセスネットワークはニューラジオＮＲネットワークであり、当該第２の無線アクセスネットワークはロングタームエボリューションＬＴＥネットワークであり、当該コアネットワーク機器１４００はアクセスとモビリティ管理機能ＡＭＦ機器である。
【０３６７】
一実施形態において、当該コアネットワーク機器１４００はさらに、
第２の機器に指示情報を送信するための送信ユニット１４２０を含み、当該指示情報は音声識別子及び／又は切り替えの前の公共陸上モバイル通信ネットワークＰＬＭＮ識別子を含み、当該指示情報は当該端末機器に適用されるＲＡＴによる当該ＮＲネットワークから当該ＬＴＥネットワークへの切り替えの目的が音声サービスの実行にあたることを当該第２の機器に指示するためのものである。
【０３６８】
一実施形態において、第１の切り替えモードでは、当該端末機器に適用されるＲＡＴによる当該ＮＲネットワークから当該ＬＴＥネットワークへの切り替えが発生し、そのうち、当該第１の切り替えモードでは、当該ＮＲネットワークに対するコアネットワーク５ＧＣは変化せず、当該ＮＲネットワークにサービスを提供する５ＧＣは当該ＬＴＥネットワークにもサービスを提供する。
【０３６９】
当該送信ユニット１４２０は具体的に、
当該指示情報をセッション管理機能ＳＭＦ機器に送信するためのものである。
【０３７０】
一実施形態において、第２の切り替えモードでは、当該端末機器に適用されるＲＡＴによる当該ＮＲネットワークから当該ＬＴＥネットワークへの切り替えが発生し、そのうち、当該第２の切り替えモードでは、当該ＮＲネットワークに対する５ＧＣは変化せず、さらに、５ＧＣでのＡＭＦのソースＡＭＦからターゲットＡＭＦへの切り替えが発生し、当該ＮＲネットワークにサービスを提供する５ＧＣは当該ＬＴＥネットワークにもサービスを提供する。
【０３７１】
当該送信ユニット１４２０は具体的に、
当該指示情報をターゲットＡＭＦ機器に送信するためのものである。
【０３７２】
一実施形態において、第３の切り替えモードでは、当該端末機器に適用されるＲＡＴによる当該ＮＲネットワークから当該ＬＴＥネットワークへの切り替えが発生し、そのうち、当該第３の切り替えモードでは、当該ＮＲネットワークに対する５ＧＣから当該ＬＴＥネットワークに対するパケットコアエボリューションＥＰＣへの切り替えが発生する。
【０３７３】
当該送信ユニット１４２０は具体的に、
当該指示情報をモビリティ管理エンティティＭＭＥ機器に送信するためのものである。
【０３７４】
理解すべきものとして、本願の実施例に基づくコアネットワーク機器１４００は本願の方法２００での第１の機器に対応することができ、コアネットワーク機器１４００での各ユニットの上記や他の操作及び／又は機能はそれぞれ、図２に示すような方法２００での第１の機器の相応のプロセスを実現させるためのものであり、簡潔のために、ここでは繰り返して説明しない。
【０３７５】
図１６は、本願の実施例に基づくコアネットワーク機器１５００の概略ブロック図である。図１６に示すように、当該コアネットワーク機器１５００は、
端末機器に適用される無線アクセス技術ＲＡＴによる第１の無線アクセスネットワークから第２の無線アクセスネットワークへの切り替えの後、アクセスネットワーク機器に現在のベアラ／ストリームを削除する指示情報を送信するための送信ユニット１５１０を含み、当該指示情報は切り替えの前の公共陸上モバイル通信ネットワークＰＬＭＮ識別子及び／又は切り替えの前のアクセスネットワーク機器識別子を含み、当該第１の無線アクセスネットワークと当該第２の無線アクセスネットワークは異なる通信プロトコルバージョンのネットワークであり、当該第１の無線アクセスネットワークのカバレッジエリアと当該第２の無線アクセスネットワークのカバレッジエリアの間に重複エリアがある。
【０３７６】
一実施形態において、当該現在のベアラ／ストリームは音声サービスの実行用のベアラ／ストリームである。
【０３７７】
一実施形態において、当該第１の無線アクセスネットワークはニューラジオＮＲネットワークであり、当該第２の無線アクセスネットワークはロングタームエボリューションＬＴＥネットワークであり、当該コアネットワーク機器はアクセスとモビリティ管理機能ＡＭＦ機器又はモビリティ管理エンティティＭＭＥ機器であり、当該アクセスネットワーク機器は当該ＮＲネットワークに対する基地局ｇＮＢである。
【０３７８】
一実施形態において、当該コアネットワーク機器１５００はさらに、
当該切り替えの前のＰＬＭＮ識別子及び／又は切り替えの前のアクセスネットワーク機器識別子を取得するための処理ユニット１５２０を含む。
【０３７９】
一実施形態において、当該コアネットワーク機器はＡＭＦ機器であり、第１の切り替えモードでは、当該端末機器に適用されるＲＡＴによる当該ＮＲネットワークから当該ＬＴＥネットワークへの切り替えが発生した場合、そのうち、当該第１の切り替えモードでは、当該ＮＲネットワークに対するコアネットワーク５ＧＣは変化せず、当該ＮＲネットワークにサービスを提供する５ＧＣは当該ＬＴＥネットワークにもサービスを提供する。
【０３８０】
当該処理ユニット１５２０は具体的に、切り替えの前のアクセスネットワーク機器から当該切り替えの前のＰＬＭＮ識別子及び／又は切り替えの前のアクセスネットワーク機器識別子を取得するためのものである。
【０３８１】
一実施形態において、当該コアネットワーク機器はＡＭＦ機器であり、第２の切り替えモードでは、当該端末機器に適用されるＲＡＴによる当該ＮＲネットワークから当該ＬＴＥネットワークへの切り替えが発生した場合、そのうち、当該第２の切り替えモードでは、当該ＮＲネットワークに対する５ＧＣは変化せず、さらに、５ＧＣでのＡＭＦのソースＡＭＦからターゲットＡＭＦへの切り替えが発生し、当該ＮＲネットワークにサービスを提供する５ＧＣは当該ＬＴＥネットワークにもサービスを提供する。
【０３８２】
当該処理ユニット１５２０は具体的に、当該ソースＡＭＦ機器から当該切り替えの前のＰＬＭＮ識別子及び／又は切り替えの前のアクセスネットワーク機器識別子を取得するためのものである。
【０３８３】
一実施形態において、当該コアネットワーク機器はＭＭＥ機器であり、第３の切り替えモードでは、当該端末機器に適用されるＲＡＴによる当該ＮＲネットワークから当該ＬＴＥネットワークへの切り替えが発生した場合、そのうち、当該第３の切り替えモードでは、当該ＮＲネットワークに対する５ＧＣから当該ＬＴＥネットワークに対するパケットコアエボリューションＥＰＣへの切り替えが発生する。
【０３８４】
当該処理ユニット１５２０は具体的に、ＡＭＦ機器から当該切り替えの前のＰＬＭＮ識別子及び／又は切り替えの前のアクセスネットワーク機器識別子を取得するためのものである。
【０３８５】
理解すべきものとして、本願の実施例に基づくコアネットワーク機器１５００は本願の方法３００での第１の機器に対応することができ、且つコアネットワーク機器１５００での各ユニットの上記や他の操作及び／又は機能はそれぞれ、図４に示すような方法３００での第１の機器の相応のプロセスを実現させるためのものであり、簡潔のために、ここでは繰り返して説明しない。
【０３８６】
図１７は、本願の実施例に基づくアクセスネットワーク機器１６００の概略ブロック図である。図１７に示すように、当該アクセスネットワーク機器１６００は、
端末機器に適用される無線アクセス技術ＲＡＴによる第１の無線アクセスネットワークから第２の無線アクセスネットワークへの切り替えの後、第１の機器から送信された現在のベアラ／ストリームを削除する指示情報を受信するための受信ユニット１６１０であって、当該指示情報は切り替えの前の公共陸上モバイル通信ネットワークＰＬＭＮ識別子及び／又は切り替えの前のアクセスネットワーク機器識別子を含み、当該第１の無線アクセスネットワークと当該第２の無線アクセスネットワークは異なる通信プロトコルバージョンのネットワークであり、当該第１の無線アクセスネットワークのカバレッジエリアと当該第２の無線アクセスネットワークのカバレッジエリアの間に重複エリアがある受信ユニット１６１０と、
当該指示情報に基づいて当該現在のベアラを削除した後、当該切り替えの前のＰＬＭＮ識別子及び／又は当該切り替えの前のアクセスネットワーク機器識別子に基づき、当該端末機器に適用されるＲＡＴによる当該第２の無線アクセスネットワークから当該第１の無線アクセスネットワークへの復帰をトリガーするように決定するための処理ユニット１６２０と、を含む。
【０３８７】
一実施形態において、当該現在のベアラ／ストリームは音声サービスの実行用のベアラ／ストリームである。
【０３８８】
一実施形態において、当該第１の無線アクセスネットワークはニューラジオＮＲネットワークであり、当該第２の無線アクセスネットワークはロングタームエボリューションＬＴＥネットワークであり、当該アクセスネットワーク機器は当該ＮＲネットワークに対する基地局ｇＮＢであり、当該第１の機器はアクセスとモビリティ管理機能ＡＭＦ機器又はモビリティ管理エンティティＭＭＥ機器である。
【０３８９】
理解すべきものとして、本願の実施例に基づくアクセスネットワーク機器１６００は本願の方法４００でのアクセスネットワーク機器に対応することができ、且つアクセスネットワーク機器１６００での各ユニットの上記や他の操作及び／又は機能はそれぞれ、図５に示すような方法４００でのアクセスネットワーク機器の相応のプロセスを実現させるためのものであり、簡潔のために、ここでは繰り返して説明しない。
【０３９０】
図１８は、本願の実施例に基づくコアネットワーク機器１７００の概略ブロック図である。図１８に示すように、当該コアネットワーク機器１７００は、
端末機器に適用される無線アクセス技術ＲＡＴによる第１の無線アクセスネットワークから第２の無線アクセスネットワークへの切り替えの後、アクセスネットワーク機器に切り替え指示を送信するための送信ユニット１７１０を含み、当該切り替え指示は当該アクセスネットワーク機器が当該端末機器に適用されるＲＡＴによる当該第２の無線アクセスネットワークから当該第１の無線アクセスネットワークへの復帰をトリガーすることを指示するためのものであり、当該第１の無線アクセスネットワークと当該第２の無線アクセスネットワークは異なる通信プロトコルバージョンのネットワークである。
【０３９１】
一実施形態において、当該端末機器で音声サービスの実行が必要とされる場合、当該端末機器に適用されるＲＡＴによる当該第１の無線アクセスネットワークから当該第２の無線アクセスネットワークへの切り替えが発生する。
【０３９２】
一実施形態において、当該端末機器に適用されるＲＡＴによる当該第１の無線アクセスネットワークから当該第２の無線アクセスネットワークへの切り替えの後、且つ当該送信ユニット１７１０が当該アクセスネットワーク機器に当該切り替え指示を送信する前、当該コアネットワーク機器１７００は、さらに、
当該アクセスネットワーク機器が当該端末機器に対する第１のベアラ／ストリームを構築するようにトリガーするための処理ユニット１７１０を含み、当該第１のベアラ／ストリームは当該第２の無線アクセスネットワークでの音声サービスを実行させるためのものである。
【０３９３】
一実施形態において、当該第１の無線アクセスネットワークはニューラジオＮＲネットワークであり、当該第２の無線アクセスネットワークはロングタームエボリューションＬＴＥネットワークであり、当該コアネットワーク機器はアクセスとモビリティ管理機能ＡＭＦ機器又はセッション管理機能ＳＭＦ機器又はセッション管理機能＋コアネットワーク側のデータゲートウェイＳＭＦ＋ＰＧＷ−Ｃ機器であり、当該アクセスネットワーク機器は進化型汎用陸上ベースの無線アクセスネットワークＥ−ＵＴＲＡＮ機器である。
【０３９４】
当該送信ユニット１７１０は具体的に、
当該切り替え指示を当該Ｅ−ＵＴＲＡＮ機器に送信するためのものである。
【０３９５】
理解すべきものとして、本願の実施例に基づくコアネットワーク機器１７００は本願の方法５００での第１の機器に対応することができ、且つコアネットワーク機器１７００での各ユニットの上記や他の操作及び／又は機能はそれぞれ、図６に示すような方法５００での第１の機器の相応のプロセスを実現させるためのものであり、簡潔のために、ここでは繰り返して説明しない。
【０３９６】
図１９は、本願の実施例に基づくアクセスネットワーク機器１８００の概略ブロック図である。図１９に示すように、当該アクセスネットワーク機器１８００は、
端末機器に適用される無線アクセス技術ＲＡＴによる第１の無線アクセスネットワークから第２の無線アクセスネットワークへの切り替えの後、第１の機器から送信された切り替え指示を受信するための受信ユニット１８１０であって、当該切り替え指示は、当該アクセスネットワーク機器が当該端末機器に適用されるＲＡＴによる当該第２の無線アクセスネットワークから当該第１の無線アクセスネットワークへの復帰をトリガーすることを指示するためのものであり、当該第１の無線アクセスネットワークと当該第２の無線アクセスネットワークは異なる通信プロトコルバージョンのネットワークである受信ユニット１８１０と、
当該切り替え指示に基づき、当該端末機器に適用されるＲＡＴによる当該第２の無線アクセスネットワークから当該第１の無線アクセスネットワークへの復帰をトリガーするための処理ユニット１８２０と、を含む。
【０３９７】
一実施形態において、当該端末機器で音声サービスの実行が必要とされる場合、当該端末機器に適用されるＲＡＴの当該第１の無線アクセスネットワークから当該第２の無線アクセスネットワークへの切り替えが発生する。
【０３９８】
一実施形態において、当該第１の無線アクセスネットワークはニューラジオＮＲネットワークであり、当該第２の無線アクセスネットワークはロングタームエボリューションＬＴＥネットワークであり、当該第１の機器はアクセスとモビリティ管理機能ＡＭＦ機器又はセッション管理機能ＳＭＦ機器であり、当該アクセスネットワーク機器は進化型汎用陸上ベースの無線アクセスネットワークＥ−ＵＴＲＡＮ機器である。
【０３９９】
当該受信ユニット１８１０は具体的に、
当該ＡＭＦ機器又は当該ＳＭＦ機器から送信された当該切り替え指示を受信するためのものである。
【０４００】
一実施形態において、前記処理ユニット１８２０は具体的に、
当該切り替え指示に基づき、第１の切り替えモードでは、当該端末機器に適用されるＲＡＴによる当該第２の無線アクセスネットワークから当該第１の無線アクセスネットワークへの復帰をトリガーするためのものである。
そのうち、当該第１の切り替えモードでは、当該ＮＲネットワークに対するコアネットワーク５ＧＣは変化しない。
【０４０１】
一実施形態において、当該第１の無線アクセスネットワークはＮＲネットワークであり、当該第２の無線アクセスネットワークはＬＴＥネットワークであり、当該第１の機器はセッション管理機能＋コアネットワーク側のデータゲートウェイＳＭＦ＋ＰＧＷ−Ｃ機器であり、当該アクセスネットワーク機器はＥ−ＵＴＲＡＮ機器である。
【０４０２】
当該受信ユニット１８１０は具体的に、
当該ＳＭＦ＋ＰＧＷ−Ｃ機器から送信された当該切り替え指示を受信するためのものである。
【０４０３】
一実施形態において、当該処理ユニット１８２０は具体的に、
当該切り替え指示に基づき、第２の切り替えモードでは、当該端末機器に適用されるＲＡＴによる当該第２の無線アクセスネットワークから当該第１の無線アクセスネットワークへの復帰をトリガーするためのものである。
そのうち、当該第２の切り替えモードでは、当該ＬＴＥネットワークに対するパケットコアエボリューションＥＰＣから当該ＮＲネットワークに対する５ＧＣへの切り替え復帰が発生する。
【０４０４】
理解すべきものとして、本願の実施例に基づくアクセスネットワーク機器１８００は本願の方法６００でのアクセスネットワーク機器に対応することができ、且つアクセスネットワーク機器１８００での各ユニットの上記や他の操作及び／又は機能はそれぞれ、図７に示すような方法６００でのアクセスネットワーク機器の相応のプロセスを実現させるためのものであり、簡潔のために、ここでは繰り返して説明しない。
【０４０５】
図２０は、本願の実施例に基づくコアネットワーク機器１９００の概略ブロック図である。図２０に示すように、当該コアネットワーク機器１９００は、
端末機器に適用される無線アクセス技術ＲＡＴによる第１の無線アクセスネットワークから第２の無線アクセスネットワークへの切り替え、及び、当該端末機器による当該第２の無線アクセスネットワークでの音声サービスが完了された後、アクセスネットワーク機器に音声サービスベアラを削除する指示情報を送信するための送信ユニット１９１０を含み、当該指示情報は当該アクセスネットワーク機器の現在のベアラが音声サービスに用いられることを指示し、当該第１の無線アクセスネットワークと当該第２の無線アクセスネットワークは異なる通信プロトコルバージョンのネットワークである。
【０４０６】
一実施形態において、当該第１の無線アクセスネットワークはニューラジオＮＲネットワークであり、当該第２の無線アクセスネットワークはロングタームエボリューションＬＴＥネットワークであり、当該コアネットワーク機器はアクセスとモビリティ管理機能ＡＭＦ機器又はセッション管理機能ＳＭＦ機器又はセッション管理機能＋コアネットワーク側のデータゲートウェイＳＭＦ＋ＰＧＷ−Ｃ機器であり、当該アクセスネットワーク機器は進化型汎用陸上ベースの無線アクセスネットワークＥ−ＵＴＲＡＮ機器である。
【０４０７】
当該送信ユニット１９１０は具体的に、
当該指示情報を当該Ｅ−ＵＴＲＡＮ機器に送信するためのものである。
【０４０８】
理解すべきものとして、本願の実施例に基づくコアネットワーク機器１９００は本願の方法７００での第１の機器に対応することができ、且つコアネットワーク機器１９００での各ユニットの上記や他の操作及び／又は機能はそれぞれ、図８に示すような方法７００での第１の機器の相応のプロセスを実現させるためのものであり、簡潔のために、ここでは繰り返して説明しない。
【０４０９】
図２１は、本願の実施例に基づくアクセスネットワーク機器２０００の概略ブロック図である。図２１に示すように、当該アクセスネットワーク機器２０００は、
端末機器に適用される無線アクセス技術ＲＡＴによる第１の無線アクセスネットワークから第２の無線アクセスネットワークへの切り替え、及び、当該端末機器による当該第２の無線アクセスネットワークでの音声サービスが完了された後、第１の機器から送信された音声サービスベアラを削除する指示情報を受信するための受信ユニット２０１０であって、当該指示情報は当該アクセスネットワーク機器の現在のベアラが音声サービスに用いられることを指示し、当該第１の無線アクセスネットワークと当該第２の無線アクセスネットワークは異なる通信プロトコルバージョンのネットワークである受信ユニット２０１０と、
当該指示情報に基づいて当該現在のベアラを削除した後、当該端末機器に適用されるＲＡＴによる当該第２の無線アクセスネットワークから当該第１の無線アクセスネットワークへの復帰をトリガーするための処理ユニット２０２０と、を含む。
【０４１０】
一実施形態において、当該第１の無線アクセスネットワークはニューラジオＮＲネットワークであり、当該第２の無線アクセスネットワークはロングタームエボリューションＬＴＥネットワークであり、当該第１の機器はアクセスとモビリティ管理機能ＡＭＦ機器又はセッション管理機能ＳＭＦ機器又はセッション管理機能＋コアネットワーク側のデータゲートウェイＳＭＦ＋ＰＧＷ−Ｃ機器であり、当該アクセスネットワーク機器は進化型汎用陸上ベースの無線アクセスネットワークＥ−ＵＴＲＡＮ機器である。
【０４１１】
当該受信ユニット２０１０は具体的に、
当該ＡＭＦ機器又は当該ＳＭＦ機器又は当該ＳＭＦ＋ＰＧＷ−Ｃ機器から送信された当該指示情報を受信するためのものである。
【０４１２】
一実施形態において、当該アクセスネットワーク機器は現在、当該ＮＲネットワークのコアネットワーク５ＧＣに接続している。
【０４１３】
当該処理ユニット２０２０は具体的に、
第１の切り替えモードでは、当該端末機器に適用されるＲＡＴによる当該第２の無線アクセスネットワークから当該第１の無線アクセスネットワークへの復帰をトリガーするためのものである。
そのうち、当該第１の切り替えモードでは、当該ＮＲネットワークに対するコアネットワーク５ＧＣは変化しない。
【０４１４】
一実施形態において、当該アクセスネットワーク機器は現在、当該ＬＴＥネットワークのパケットコアエボリューションＥＰＣに接続している。
【０４１５】
当該処理ユニット２０２０は具体的に、
第２の切り替えモードでは、当該端末機器に適用されるＲＡＴによる当該第２の無線アクセスネットワークから当該第１の無線アクセスネットワークへの切り替え復帰をトリガーするためのものである。
そのうち、当該第２の切り替えモードでは、当該ＬＴＥネットワークに対するＥＰＣから当該ＮＲネットワークに対する５ＧＣへの切り替え復帰が発生する。
【０４１６】
理解すべきものとして、本願の実施例に基づくアクセスネットワーク機器２０００は本願の方法８００でのアクセスネットワーク機器に対応することができ、且つアクセスネットワーク機器２０００での各ユニットの上記や他の操作及び／又は機能はそれぞれ、図９に示すような方法８００でのアクセスネットワーク機器の相応のプロセスを実現させるためのものであり、簡潔のために、ここでは繰り返して説明しない。
【０４１７】
図２２は、本願の実施例に基づくコアネットワーク機器２１００の概略ブロック図である。図２２に示すように、当該コアネットワーク機器２１００は、
端末機器に適用される無線アクセス技術ＲＡＴによる第１の無線アクセスネットワークから第２の無線アクセスネットワークへの切り替えの過程には、フォールバック識別子を取得するための処理ユニット２１１０を含み、当該フォールバック識別子は当該端末機器に適用されるＲＡＴによる当該第１の無線アクセスネットワークから当該第２の無線アクセスネットワークへの切り替えの目的を指示し、当該第１の無線アクセスネットワークと当該第２の無線アクセスネットワークは異なる通信プロトコルバージョンのネットワークである。
【０４１８】
一実施形態において、当該フォールバック識別子は、当該端末機器に適用されるＲＡＴによる当該第１の無線アクセスネットワークから当該第２の無線アクセスネットワークへの切り替えの目的が、当該端末機器のために、当該第２の無線アクセスネットワークでの音声サービスを構築することにあたることを指示する。
【０４１９】
一実施形態において、当該処理ユニット２１１０は具体的に、
第１の切り替えモードでは、当該端末機器に適用されるＲＡＴによる当該第１の無線アクセスネットワークから当該第２の無線アクセスネットワークへの切り替えの過程には、当該フォールバック識別子を取得するためのものであり、そのうち、当該第１の切り替えモードでは、当該第１の無線アクセスネットワークに対するコアネットワークは変化せず、さらに、コアネットワークの内部ネットワーク要素も変化せず、当該第１の無線アクセスネットワークにサービスを提供するコアネットワークは当該第２の無線アクセスネットワークにもサービスを提供する。
【０４２０】
一実施形態において、当該第１の無線アクセスネットワークはニューラジオＮＲネットワークであり、当該第２の無線アクセスネットワークはロングタームエボリューションＬＴＥネットワークであり、当該第１の切り替えモードでは、当該ＮＲネットワークに対するコアネットワーク５ＧＣは変化せず、さらに、５ＧＣでのアクセスとモビリティ管理機能ＡＭＦも変化せず、当該ＮＲネットワークにサービスを提供する５ＧＣは当該ＬＴＥネットワークにもサービスを提供する。
【０４２１】
一実施形態において、当該コアネットワーク機器はＡＭＦ機器である。
【０４２２】
当該処理ユニット２１１０は具体的に、
アクセスネットワーク機器から当該フォールバック識別子を受信するためのものである。
【０４２３】
一実施形態において、当該処理ユニットは当該アクセスネットワーク機器から当該フォールバック識別子を受信した後、当該コアネットワーク機器はさらに、
セッション管理機能ＳＭＦに当該フォールバック識別子を送信するための送信ユニット２１２０を含む。
【０４２４】
一実施形態において、当該処理ユニット２１１０は具体的に、
第２の切り替えモードでは、当該端末機器に適用されるＲＡＴによる当該第１の無線アクセスネットワークから当該第２の無線アクセスネットワークへの切り替えの過程には、当該フォールバック識別子を取得するためのものであり、そのうち、当該第２の切り替えモードでは、当該第１の無線アクセスネットワークに対するコアネットワークは変化せず、さらに、コアネットワークの内部ネットワーク要素は変化し、当該第１の無線アクセスネットワークにサービスを提供するコアネットワークは当該第２の無線アクセスネットワークにもサービスを提供する。
【０４２５】
一実施形態において、当該第１の無線アクセスネットワークはＮＲネットワークであり、当該第２の無線アクセスネットワークはＬＴＥネットワークであり、当該第２の切り替えモードでは、当該ＮＲネットワークに対する５ＧＣは変化せず、さらに、５ＧＣでのＡＭＦのソースＡＭＦからターゲットＡＭＦへの切り替えが発生し、当該ＮＲネットワークにサービスを提供する５ＧＣは当該ＬＴＥネットワークにもサービスを提供する。
【０４２６】
一実施形態において、当該コアネットワーク機器はＳＭＦ機器である。
【０４２７】
当該処理ユニット２１１０は具体的に、
アクセスネットワーク機器から当該フォールバック識別子を受信するためのものである。
【０４２８】
一実施形態において、当該処理ユニット２１１０は具体的に、
当該ターゲットＡＭＦ機器が当該ソースＡＭＦ機器から転送された当該フォールバック識別子を受信し、当該ソースＡＭＦ機器が当該アクセスネットワーク機器から当該フォールバック識別子を取得するためのものである。
【０４２９】
一実施形態において、当該処理ユニット２１１０は具体的に、
第３の切り替えモードでは、当該端末機器に適用されるＲＡＴによる当該第１の無線アクセスネットワークから当該第２の無線アクセスネットワークへの切り替えの過程には、当該フォールバック識別子を取得するためのものであり、そのうち、当該第３の切り替えモードでは、当該第１の無線アクセスネットワークに対するコアネットワークから当該第２の無線アクセスネットワークに対するコアネットワークへの切り替えが発生する。
【０４３０】
一実施形態において、当該第１の無線アクセスネットワークはＮＲネットワークであり、当該第２の無線アクセスネットワークはＬＴＥネットワークであり、当該第３の切り替えモードでは、当該ＮＲネットワークに対する５ＧＣから当該ＬＴＥネットワークに対するパケットコアエボリューションＥＰＣへの切り替えが発生する。
【０４３１】
一実施形態において、当該コアネットワーク機器はセッション管理機能＋コアネットワーク側のデータゲートウェイＳＭＦ＋ＰＧＷ―Ｃ機器である。
【０４３２】
当該処理ユニット２１１０は具体的に、
アクセスネットワーク機器から当該フォールバック識別子を受信するためのものである。
【０４３３】
一実施形態において、当該処理ユニット２１１０は具体的に、
ＡＭＦ機器が当該アクセスネットワーク機器から転送された当該フォールバック識別子を受信するためのものである。
【０４３４】
理解すべきものとして、本願の実施例に基づくコアネットワーク機器２１００は本願の方法９００での第１の機器に対応することができ、且つコアネットワーク機器２１００での各ユニットの上記や他の操作及び／又は機能はそれぞれ、図１０に示すような方法９００での第１の機器の相応のプロセスを実現させるためのものであり、簡潔のために、ここでは繰り返して説明しない。
【０４３５】
図２３は、本願の実施例に基づく音声サービスの判定機器２２００の概略ブロック図である。図２３に示すように、当該音声サービスの判定機器２２００は、
第１の情報を取得するための処理ユニット２２１０を含み、当該第１の情報は端末機器に対する第１のベアラ／ストリームの構築が成功しなかったことを指示するためのものであり、当該第１のベアラ／ストリームは第１の無線アクセスネットワークでの音声サービスを実行させるためのものである。
【０４３６】
当該処理ユニット２２１０はさらに、当該端末機器に適用される無線アクセス技術ＲＡＴによる当該第１の無線アクセスネットワークから第２の無線アクセスネットワークへの切り替えの後、当該端末機器に対する第２のベアラ／ストリームを構築するためのものであり、当該第１の無線アクセスネットワークと当該第２の無線アクセスネットワークは異なる通信プロトコルバージョンのネットワークである。
【０４３７】
当該処理ユニット２２１０はさらに、当該第２のベアラ／ストリームが当該第２の無線アクセスネットワークでの音声サービスを実行させるためのものであることを決定するためのものである。
【０４３８】
一実施形態において、当該処理ユニット２２１０はさらに、当該第２のベアラ／ストリームを解放した後、当該端末機器に適用されるＲＡＴによる当該第２の無線アクセスネットワークから当該第１の無線アクセスネットワークへの復帰をトリガーするためのものである。
【０４３９】
一実施形態において、当該端末機器に適用されるＲＡＴによる当該第１の無線アクセスネットワークから当該第２の無線アクセスネットワークへの切り替えの目的は当該第２のベアラ／ストリームを構築することにあたる。
【０４４０】
一実施形態において、第１の切り替えモードでは、当該端末機器に適用されるＲＡＴによる当該第１の無線アクセスネットワークから当該第２の無線アクセスネットワークへの切り替えが発生し、そのうち、当該第１の切り替えモードでは、当該第１の無線アクセスネットワークに対するコアネットワークは変化せず、さらに、コアネットワークの内部ネットワーク要素も変化せず、当該第１の無線アクセスネットワークにサービスを提供するコアネットワークは当該第２の無線アクセスネットワークにもサービスを提供する。
【０４４１】
一実施形態において、当該第１の無線アクセスネットワークはニューラジオＮＲネットワークであり、当該第２の無線アクセスネットワークはロングタームエボリューションＬＴＥネットワークであり、当該第１の切り替えモードでは、当該ＮＲネットワークに対するコアネットワーク５ＧＣは変化せず、さらに、５ＧＣでのアクセスとモビリティ管理機能ＡＭＦも変化せず、当該ＮＲネットワークにサービスを提供する５ＧＣは当該ＬＴＥネットワークにもサービスを提供する。
【０４４２】
一実施形態において、第２の切り替えモードでは、当該端末機器に適用されるＲＡＴによる当該第１の無線アクセスネットワークから当該第２の無線アクセスネットワークへの切り替えが発生し、そのうち、当該第２の切り替えモードでは、当該第１の無線アクセスネットワークに対するコアネットワークは変化せず、さらに、コアネットワークの内部ネットワーク要素は変化し、当該第１の無線アクセスネットワークにサービスを提供するコアネットワークは当該第２の無線アクセスネットワークにもサービスを提供する。
【０４４３】
一実施形態において、当該第１の無線アクセスネットワークはＮＲネットワークであり、当該第２の無線アクセスネットワークはＬＴＥネットワークであり、当該第２の切り替えモードでは、当該ＮＲネットワークに対するコアネットワーク５ＧＣは変化せず、さらに、５ＧＣでのＡＭＦのソースＡＭＦからターゲットＡＭＦへの切り替えが発生し、当該ＮＲネットワークにサービスを提供する５ＧＣは当該ＬＴＥネットワークにもサービスを提供する。
【０４４４】
一実施形態において、当該第１のベアラ／ストリームはサービス品質識別子５ＱＩ＝１ストリームであり、当該第２のベアラ／ストリームは５ＱＩ＝１ストリームである。
【０４４５】
一実施形態において、第３の切り替えモードでは、当該端末機器に適用されるＲＡＴによる当該第１の無線アクセスネットワークから当該第２の無線アクセスネットワークへの切り替えが発生し、そのうち、当該第３の切り替えモードでは、当該第１の無線アクセスネットワークに対するコアネットワークから当該第２の無線アクセスネットワークに対するコアネットワークへの切り替えが発生する。
【０４４６】
一実施形態において、当該第１の無線アクセスネットワークはＮＲネットワークであり、当該第２の無線アクセスネットワークはＬＴＥネットワークであり、当該第３の切り替えモードでは、当該ＮＲネットワークに対する５ＧＣから当該ＬＴＥネットワークに対するパケットコアエボリューションＥＰＣへの切り替えが発生する。
【０４４７】
一実施形態において、当該第１のベアラ／ストリームはサービス品質識別子５ＱＩ＝１ストリームであり、当該第２のベアラ／ストリームはサービス品質レベル識別子ＱＣＩ＝１ベアラである。
【０４４８】
理解すべきものとして、本願の実施例に基づく音声サービスの判定機器２２００は本願の方法１０００での機器に対応することができ、且つ音声サービスの判定機器２２００での各ユニットの上記や他の操作及び／又は機能はそれぞれ、図１１に示すような方法１０００での機器の相応のプロセスを実現させるためのものであり、簡潔のために、ここでは繰り返して説明しない。
【０４４９】
図２４は、本願の実施例に係る通信機器２３００の概略ブロック図を示し、当該機器２３００は、
コードを含むプログラムを記憶するためのメモリ２３１０と、
他の機器と通信するためのトランシーバ２３２０と、
メモリ２３１０におけるプログラムコードを実行するためのプロセッサ２３３０と、を含む。
【０４５０】
トランシーバ２３２０は、プロセッサ２３３０の駆動の下で具体的な信号の送信と受信を実行するためのものである。
【０４５１】
一実施形態において、当該コードが実行される時、当該プロセッサ２３３０はまた、図２における方法２００、図４における方法３００、又は図６における方法５００、又は図８における方法７００、又は図１０における方法９００でのコアネットワーク機器（第１の機器）によって実行される各操作を実現させることができ、簡潔のために、ここでは繰り返して説明しない。この時、当該機器２３００はコアネットワーク機器（例えば、ＡＭＦ又はＳＭＦ又はＰＧＷ−Ｃ＋ＳＭＦ）であってもよい。
【０４５２】
一実施形態において、当該コードが実行される時、当該プロセッサ２３３０は図５における方法４００、又は図７における方法６００、又は図９における方法８００でのアクセスネットワーク機器によって実行される各操作を実現させることができ、簡潔のために、ここでは繰り返して説明しない。この時、当該機器２３００はアクセスネットワーク機器（例えば、基地局）であってもよい。
【０４５３】
一実施形態において、当該コードが実行される時、当該プロセッサ２３３０はまた、図１１における方法１０００での機器によって実行される各操作を実現させることができ、簡潔のために、ここでは繰り返して説明しない。
【０４５４】
理解すべきものとして、本願の実施例では、当該プロセッサ２３３０は中央処理ユニット（Ｃｅｎｔｒａｌ  Ｐｒｏｃｅｓｓｉｎｇ  Ｕｎｉｔ、ＣＰＵ）であってもよい。当該プロセッサ２３３０はさらに、他の汎用プロセッサ、デジタル信号プロセッサ（ＤＳＰ）、特定用途向け集積回路（ＡＳＩＣ）、フィールドプログラマブルゲートアレイ（ＦＰＧＡ）又はこの他のプログラマブルロジックデバイス、ディスクリートゲート又はトランジスタロジックデバイス、ディスクリートハードウェアコンポーネントなどであってもよい。汎用プロセッサは、マイクロプロセッサであってもよく、又は、当該プロセッサは、任意の従来のプロセッサなどであってもよい。
【０４５５】
当該メモリ２３１０は読み取り専用メモリ、及びランダムアクセスメモリを含む同時に、プロセッサ２３３０に命令とデータを提供することができる。メモリ２３１０の一部は、不揮発性ランダムアクセスメモリをさらに含んでもよい。例えば、メモリ２３１０はさらに、デバイスタイプの情報を記憶することができる。
【０４５６】
トランシーバ２３２０は信号の送信と受信機能、例えば、周波数変調と復調機能、又はアップコンバージョンとダウンコンバージョンとも呼ばれる機能を実現させるためのものであってもよい。
【０４５７】
実施過程には、上記方法の少なくとも１つのステップはプロセッサ２３３０におけるハードウェアの集積ロジック回路によって完成されることができ、又は当該集積ロジック回路はまた、ソフトウェア形の命令駆動の下で当該少なくとも１つのステップを完成させることができる。従って、通信機器２３００はチップ又はチップセットであってもよい。本願の実施例を合わせて開示された方法のステップは、ハードウェアプロセッサによる実行完了、又はプロセッサにおけるハードウェア及びソフトウェアモジュールの組み合わせによる実行完了と直接具体化されることができる。ソフトウェアモジュールは、ランダムアクセスメモリ、フラッシュメモリ、読み取り専用メモリ、プログラマブル読み取り専用メモリ又は電気的消去可能プログラマブルメモリ、レジスターなど本領域の成熟した記憶媒体にあってもよい。当該記憶媒体はメモリにあり、プロセッサ２３３０はメモリ内の情報を読み取り、そのハードウェアを合わせて上記方法のステップを完成させる。重複を避けるために、ここでは詳細に説明しない。
【０４５８】
図２５は、本願の実施例に基づくシステムチップ２４００の概略構造図である。図２５のシステムチップ２４００は、内部通信接続回線によって接続されることができる入力インタフェース２４０１、出力インタフェース２４０２、プロセッサ２４０３及びメモリ２４０４を含み、当該プロセッサ２４０３は当該メモリ２４０４におけるコードを実行するためのものである。
【０４５９】
一実施形態において、当該コードが実行される時、当該プロセッサ２４０３は方法の実施例におけるコアネットワーク機器によって実行される方法を実現させる。簡潔のために、ここでは繰り返して説明しない。
【０４６０】
一実施形態において、当該コードが実行される時、当該プロセッサ２４０３は方法の実施例におけるアクセスネットワーク機器によって実行される方法を実現させる。簡潔のために、ここでは繰り返して説明しない。
【０４６１】
一実施形態において、当該コードが実行される時、当該プロセッサ２４０３は方法の実施例における音声サービスの判定機器によって実行される方法を実現させる。簡潔のために、ここでは繰り返して説明しない。
【０４６２】
当業者であれば、本明細書で開示される実施例を合わせて説明される各例のユニット及びアルゴリズムステップは、電子ハードウェア、又はコンピューターソフトウェアと電子ハードウェアの組み合わせによって実施されることができると理解することができる。これらの機能がハードウェアで実行されるか、ソフトウェアで実行されるかは、技術的解決手段の特定のアプリケーションと設計上の制約条件に依存する。当業者は、特定のアプリケーションごとに説明された機能を実施させるために異なる方法を使用できるが、この種の実施は、本願の範囲を超えると見なされるべきではない。
【０４６３】
当業者であれば、説明の便宜と簡潔のために、上記説明されるシステム、装置、及びユニットの具体的作業プロセスは、前述方法の実施例における対応するプロセスを参照することができると明確に理解することができ、ここでは説明を省略する。
【０４６４】
本願で提供されるいくつかの実施例では、開示されたシステム、装置、及び方法は、他の方式で実施されることができると理解すべきである。例えば、上記説明される装置の実施例は概略的なものにすぎず、例えば、前記ユニットの分割は論理機能上の分割にすぎず、実際に実施する際に別の形態で分割してもよく、例えば、複数のユニット又はコンポーネントを別のシステムに組み合わせもしくは集積させたり、又は一部の特徴を反映させず、実行しなかったりしてもよい。また、表示又は検討した互いの結合又は直接的な結合又は通信接続は、いくつかのインタフェース、装置又はユニットを介した間接的結合又は通信接続であってもよく、電気的形態、機械的形態又はその他の形態であってもよい。
【０４６５】
前記分離される部品として説明されるユニットは、物理的に分離されるものでもよければ、分離されないものであってもよい。ユニットとして示される部品は、物理的なユニットであってもよいが、物理的なユニットでなくてもよい。即ち、同一の場所に設けられるものであってもよいが、複数のネットワークユニットに配置されるものであってもよい。必要に応じて、一部のユニットだけを用いるか、又は全てのユニットを選択して本実施例の解決手段の目的を達成することができる。
【０４６６】
また、本願の実施例における各機能ユニットが１つの処理ユニットに集積されてもよいが、各ユニットが単独で物理的な部品として存在するか、又は２つ以上のユニットが１つのユニットに集積されてもよい。
【０４６７】
前記機能はソフトウェア機能ユニットの形で実施され、独立した製品として販売又は使用される場合、１つのコンピュータ読み取り可能な記憶媒体に記憶されることができる。このような理解に基づき、本願の実施例の技術的解決手段は、本質的に、従来の技術に寄与する部分であるか、当該技術的解決手段の一部が、ソフトウェア製品の形で具現化されることができ、当該コンピューターソフトウェア製品は、１つの記憶媒体に記憶され、コンピューターデバイス（パーソナルコンピューター、サーバ、又はネットワークデバイスなどであってもよい）に、本願の各実施例で説明した方法のステップのすべて又は一部を実行させるためのいくつかの命令を含む。前述の記憶媒体は、Ｕディスク、モバイルハードディスク、読み取り専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、又はコンパクトディスクなどプログラムコードを記憶できるさまざまな媒体を含む。
【０４６８】
以上の内容は、本願の実施例の具体的実施形態にすぎず、本願の実施例の保護範囲はこれらに限定されず、当業者であれば、本願で開示される技術的範囲内に、容易に想像しうる全ての変更又は置換は、いずれも本願の保護範囲内に含まれるべきである。したがって、本願の保護範囲は、特許請求の範囲の保護範囲に従うものとする。